(57)【要約】【課題】遊技の興趣を向上させる。【解決手段】フリーズ状態においてリール演出を実行する。リール演出が終了したときにフリーズ状態を維持したまま擬似遊技を実行する。擬似遊技でストップスイッチ８Ｌ，８Ｃ，８Ｒを操作して押し順が正解であった場合には、入賞ラインＬＮ上に図柄の「黒７」が揃う。そして、再度リール演出が実行される。また、ストップスイッチ８Ｌ，８Ｃ，８Ｒを操作しなかった場合でも、擬似遊技の開始から３０秒が経過すると各リールは自動停止する。そして、このときに行われたリール演出継続抽選に当選した場合にも入賞ラインＬＮ上に図柄の「黒７」が揃う。そして、再度リール演出が実行される。【選択図】図２４
2016055118.tif 000002
【特許請求の範囲】
【請求項１】
各々が識別可能な複数種類の識別情報を変動表示可能な可変表示部を備え、前記可変表示部を変動表示した後に表示結果を導出し、該表示結果に応じて入賞が発生可能なスロットマシンにおいて、
遊技用価値を用いて単位遊技に対して賭数を設定する賭数設定手段と、
遊技者が表示結果を導出させるために操作する導出操作手段と、
前記賭数設定手段が賭数を設定していることにより開始可能条件が成立しているときに前記可変表示部を変動表示した後、前記導出操作手段の操作に応じて表示結果を導出する通常単位遊技を行う通常単位遊技実行手段と、
前記開始可能条件が成立しているか否かにかかわらず特定条件が成立しているときに前記可変表示部を変動表示した後、前記導出操作手段の操作に応じて表示結果を導出する特殊単位遊技を行う特殊単位遊技実行手段と、
特殊単位遊技における前記導出操作手段の操作態様が特定操作態様であるときに特定表示結果を導出するとともに特定操作態様以外の操作態様であるときに特定表示結果以外の表示結果を導出する導出制御手段と、
特殊単位遊技において特定表示結果が導出されたときは、特定表示結果以外の表示結果が導出されたときよりも遊技者にとって有利となるようにする有利状態制御手段と、
表示結果が導出されたとき、または、特殊単位遊技の開始から前記導出操作手段の操作が行われることなく所定時間が経過したときに特殊単位遊技を終了させる特殊単位遊技終了手段と、
特殊単位遊技の開始から前記導出操作手段の操作が行われることなく所定時間が経過して特殊単位遊技が終了したときは、有利度に関する特別処理を実行する特別処理実行手段とを備えた
ことを特徴とするスロットマシン。
【発明の詳細な説明】
【技術分野】
【０００１】
本発明は、各々が識別可能な複数種類の識別情報を変動表示可能な可変表示部を備え、可変表示部を変動表示した後、可変表示部の変動表示を停止することで表示結果を導出し、該表示結果に応じて入賞が発生可能なスロットマシンに関する。
【背景技術】
【０００２】
スロットマシンは、一般に、外周部に識別情報としての複数種類の図柄が描かれた複数（通常は３つ）のリールを有する可変表示装置を備えており、各リールは、遊技者がスタートレバーを操作することにより回転を開始し、また、遊技者が各リールに対応して設けられた停止ボタンを操作することにより、その操作タイミングから予め定められた最大遅延時間の範囲内で回転を停止する。そして、全てのリールの回転を停止したときに導出された表示結果に従って入賞が発生する。
【０００３】
入賞となる役の種類としては、小役、特別役、再遊技役といった種類がある。ここで、小役の入賞では、小役の種類毎に定められた数のメダルが払い出されるという利益を遊技者が得ることができる。特別役の入賞では、次のゲームからレギュラーボーナスやビッグボーナスといった遊技者にとって有利な遊技状態へ移行されるという利益を遊技者が得ることができる。再遊技役の入賞では、賭数の設定に新たなメダルを消費することなく次のゲームを行うことができるという利益を得ることができる。
【０００４】
このようなスロットマシンとして、ＳＰリプレイに当選してストップスイッチの押し順が正解したときはナビストックと称するＡＴ（アシストタイム）に制御する権利を付与するスロットマシンが知られている（たとえば、特許文献１）。また、遊技の進行を遅延させるフリーズ状態中に特殊単位遊技である擬似遊技を実行するスロットマシンが知られている（たとえば、特許文献２）。
【先行技術文献】
【特許文献】
【０００５】
【特許文献１】特開２０１２-６５８７２号公報（段落０２９２など）
【特許文献２】特開２０１２-２４９７２９号公報（段落００４２，００４３など）
【発明の概要】
【発明が解決しようとする課題】
【０００６】
ところで、特許文献１および２で開示されている技術事項にもとづいて、フリーズ状態中に擬似遊技を実行し、擬似遊技中に行われたストップスイッチ操作の押し順が正解であるときには有利な状態に制御することによって、遊技者に利益を付与することが考えられる。
【０００７】
しかし、このように構成した場合に、ストップスイッチの操作が行われずに擬似遊技が長引き、遊技の進行が長期にわたって遅延されることは好ましくない。一方、擬似遊技中にストップスイッチの操作を行わなかったからといって、本来得られるはずの利益の獲得機会が失われてしまうのは遊技者にとって酷である。
【０００８】
本発明は、このような問題点に着目してなされたものであり、遊技の興趣を向上させるできるスロットマシンを提供することを目的とする。
【課題を解決するための手段】
【０００９】
上記課題を解決するために、本発明のスロットマシンは、
各々が識別可能な複数種類の識別情報を変動表示可能な可変表示部（たとえば、リール２Ｌ，２Ｃ，２Ｒ）を備え、前記可変表示部を変動表示した後に表示結果を導出し、該表示結果に応じて入賞が発生可能なスロットマシン（たとえば、スロットマシン１）において、
遊技用価値（たとえば、メダル）を用いて単位遊技に対して賭数を設定する賭数設定手段（たとえば、図１５のＳｄ１の処理を行う部分）と、
遊技者が表示結果を導出させるために操作する導出操作手段（たとえば、ストップスイッチ８Ｌ，８Ｃ，８Ｒ）と、
前記賭数設定手段が賭数を設定していることにより開始可能条件が成立しているときに前記可変表示部を変動表示した後、前記導出操作手段の操作に応じて表示結果を導出する通常単位遊技（たとえば、通常遊技）を行う通常単位遊技実行手段（たとえば、図１５のＳｄ４の処理を行う部分）と、
前記開始可能条件が成立しているか否かにかかわらず特定条件が成立しているときに前記可変表示部を変動表示した後、前記導出操作手段の操作に応じて表示結果を導出する特殊単位遊技（たとえば、擬似遊技）を行う特殊単位遊技実行手段（たとえば、図１５のＳｄ３の処理を行う部分）と、
特殊単位遊技における前記導出操作手段の操作態様が特定操作態様（たとえば、図１６のＳｃ１０でＹ）であるときに特定表示結果を導出するとともに特定操作態様以外の操作態様（たとえば、図１６のＳｃ１０でＮ）であるときに特定表示結果以外の表示結果を導出する導出制御手段（たとえば、図１６のＳｃ１０でＹのときにＳｃ１１の処理を行い、図１６のＳｃ１０でＮのときにＳｃ１７の処理を行う部分）と、
特殊単位遊技において特定表示結果が導出されたときは、特定表示結果以外の表示結果が導出されたときよりも遊技者にとって有利となるようにする有利状態制御手段（たとえば、図１９のＳａ３の処理を行う部分）と、
表示結果が導出されたとき、または、特殊単位遊技の開始から前記導出操作手段の操作が行われることなく所定時間が経過したときに特殊単位遊技を終了させる特殊単位遊技終了手段（たとえば、図１６のＳｃ１０でＮのとき、または、図１６のＳｃ１４でＹになりＳｃ１６でＮになったときに、図１７のＳｃ１９の処理を行う部分）と、
特殊単位遊技の開始から前記導出操作手段の操作が行われることなく所定時間が経過して特殊単位遊技が終了したときは、有利度に関する特別処理を実行する特別処理実行手段（たとえば、図１６のＳｃ１４でＹのときにＳｃ１５の処理を行う部分および図１９のＳａ３の処理を行う部分）とを備えた
ことを特徴とする。
この構成によれば、特殊単位遊技を好適なタイミングで実行することにより、好適なタイミングで遊技者に導出操作手段の操作の操作態様を正解させる遊技を行わせることができる。一方、特殊単位遊技の開始から導出操作手段の操作が行われることなく所定時間が経過して特殊単位遊技が終了しても、遊技者の利益獲得の機会が失われることがない。よって、遊技の興趣を向上させることができる。
【００１０】
なお、請求項における「表示結果」には、遊技の進行に関与する操作として導出操作手段が操作されて導出される表示結果（すなわち、変動表示の停止）、遊技の進行に関与しない操作として導出操作手段が操作されて導出される表示結果（すなわち、変動表示の仮停止）の両方を含む。
【００１１】
また、特別処理実行手段は、表示結果が導出されて特殊単位遊技が終了したときと同一または略同一の有利度となるように特別処理を実行することを特徴とする（たとえば、図１６のＳｃ１５の処理を１／２の確率で行う部分）。
この構成によれば、導出操作手段を操作した遊技者と、導出操作手段を操作しなかった遊技者との間の公平性を保つことができる。
【００１２】
また、遊技者にとって有利な有利期間（たとえば、リール演出の実行期間）に制御する有利期間制御手段（たとえば、図１６のＳｃ４の処理を行う部分）を備え、
特殊単位遊技実行手段は、有利期間の終了条件が成立したときに有利期間に再度制御するか否かを決定するための特殊単位遊技を実行し（たとえば、図１６のＳｃ８の処理を行う部分）、
前記有利期間制御手段は、特殊単位遊技で特定表示結果が導出されたときに再度有利期間に制御することを特徴とする（たとえば、図１６のＳｃ１１の処理を行った後にＳｃ４の処理に戻る部分）。
この構成によれば、遊技者による導出操作手段の操作の操作態様に応じて再度有利期間に制御させることが可能になるので、遊技の興趣を向上させることができる。
【００１３】
また、特別処理実行手段は、抽選によって当選か否かを決定する特別処理を実行し（たとえば、図１６のＳｃ１５の処理を行う部分）、
導出制御手段は、特別処理での抽選に当選したときは特定表示結果を導出するとともに該抽選に当選しなかったときは特定表示結果以外の表示結果を導出することを特徴とする（たとえば、Ｓｃ１６でＹのときはＳｃ１１の処理を行い、Ｓｃ１６でＮのときはＳｃ１７の処理を行う部分）。
この構成によれば、特殊単位遊技中に導出操作手段を操作しなかったときでも表示結果が導出されるので、特別処理を実行した結果を識別しやすくすることができる。
【００１４】
また、通常単位遊技の開始から導出操作手段の操作が行われることなく所定時間（たとえば、３０秒）が経過したときに、前記導出操作手段の操作を促す停止促進報知を実行する停止促進報知実行手段（たとえば、図２１のＳｂ３の処理を行う部分）を備え、
特殊単位遊技終了手段は、特殊単位遊技の開始から前記導出操作手段の操作が行われることなく該所定時間と同一時間が経過したときに特殊単位遊技を終了させることを特徴とする（たとえば、図１６のＳｃ１４でＹのときにＳｃ１１またはＳｃ１７の処理を行う部分）。
この構成によれば、通常単位遊技で停止促進報知が実行されるまでの時間と、導出操作手段の操作が行われたかったときに特殊単位遊技を終了させるまでの時間とを対応させることにより、特殊単位遊技を終了させるまでの時間を遊技者に認識させやすくすることができる。
【００１５】
各々が識別可能な複数種類の識別情報を変動表示可能な可変表示部（たとえば、リール２Ｌ，２Ｃ，２Ｒ）を備え、前記可変表示部を変動表示した後に表示結果を導出し、該表示結果に応じて入賞が発生可能なスロットマシン（たとえば、スロットマシン１）において、
可変表示部において識別情報の変動表示を開始させる際に操作される開始操作手段（例えば、スタートスイッチ７）と、
遊技の進行を制御する手段であって、遅延条件（例えば、ＡＴ中にフリーズ対象役に当選すること）が成立しているときには遅延期間（例えば、フリーズ実行フラグがセットされている期間）を設定して、遊技の進行を遅延期間に亘って遅延させるゲーム制御手段（例えば、図１５のＳｄ３の処理を行う部分）と、
前記可変表示部の表示状態の制御を行なう表示状態制御手段（例えば、メイン制御部４１）とを備え、
前記表示状態制御手段は、
前記開始操作手段が操作されたときに遅延期間中に識別情報の変動表示を行って仮表示結果を仮導出させる仮導出制御手段（例えば、図１７のＳｃ１７の処理を行う部分）と、
前記開始操作手段が操作されたときに遅延期間以外のときに識別情報の変動表示を行って表示結果を導出させる通常導出制御手段（例えば、図１５のＳｄ４の処理を行う部分）とを含み、
前記スロットマシンは、
遅延期間の終了条件が成立して仮表示結果が仮導出されているときに、前記開始操作手段の操作を促す促進演出を実行する促進演出実行手段（例えば、図２０のＳｅ３の処理を行う部分）と、
遅延期間の終了条件が成立して仮表示結果が仮導出されているときに、前記開始操作手段の操作が行われることで遅延期間を終了させる遅延期間終了手段（例えば、図１７のＳｃ１９の処理を行う部分）とをさらに備え、
前記通常導出制御手段は、前記遅延期間終了手段により遅延期間が終了されたときに識別情報の変動表示を開始させる（例えば、図１５のＳｄ３の処理の後にＳｄ４の処理を行う部分）。
そのような構成によれば、開始操作手段が操作されたときに遅延期間中に識別情報の変動表示を行って仮表示結果を仮導出させ、遅延期間の終了条件が成立して仮表示結果が仮導出されているときに、開始操作手段の操作が行われたときには遅延期間の終了とともに識別情報の変動表示を開始させるので、遅延期間が設定されない通常の遊技と同様の流れで遅延期間終了後の識別情報の変動表示を開始させることが可能になり、遊技者が遊技に対して違和感を覚え、困惑することを防止できる。
【００１６】
各々が識別可能な複数種類の識別情報を変動表示可能な可変表示部（たとえば、リール２Ｌ，２Ｃ，２Ｒ）を備え、前記可変表示部を変動表示した後に表示結果を導出し、該表示結果に応じて入賞が発生可能なスロットマシン（たとえば、スロットマシン１）において、
遊技の制御を行う遊技制御手段（例えば、メイン制御部４１）と、
前記遊技制御手段（例えば、メイン制御部４１）から送信された制御情報（例えば、コマンド）に基づいて演出の制御を行う演出制御手段（例えば、サブ制御部９１）と、
遊技者が表示結果を導出させるために操作する導出操作手段（例えば、ストップスイッチ８Ｌ、８Ｃ、８Ｒ）と、
を備え、
前記遊技制御手段（例えば、メイン制御部４１）と前記演出制御手段（例えば、サブ制御部９１）とは当該遊技制御手段（例えば、メイン制御部４１）から当該演出制御手段（例えば、サブ制御部９１）への一方向通信のみ可能に接続されており、
前記遊技制御手段（例えば、メイン制御部４１）は、
遊技用価値を用いて単位遊技に対して賭数を設定する賭数設定手段（例えば、賭数の設定制御）と、
前記賭数設定手段が賭数を設定していることにより開始可能条件（例えば、規定数の賭数が設定され、スタートスイッチ７が操作されること）が成立しているときに前記可変表示部（例えば、リール２Ｌ、２Ｃ、２Ｒ）を変動表示した後、前記導出操作手段（例えば、ストップスイッチ８Ｌ、８Ｃ、８Ｒ）の操作に応じて表示結果を導出する通常単位遊技（例えば、通常遊技）を行う通常単位遊技実行手段と、
前記開始可能条件が成立しているか否かにかかわらず特定条件（例えば、擬似遊技の開始条件が成立し、スタートスイッチ７が操作されること）が成立しているときに前記可変表示部（例えば、リール２Ｌ、２Ｃ、２Ｒ）を変動表示した後、前記導出操作手段（例えば、ストップスイッチ８Ｌ、８Ｃ、８Ｒ）の操作に応じて表示結果を導出する特殊単位遊技（擬似遊技）を行う特殊単位遊技実行手段と、
前記特殊単位遊技（擬似遊技）において導出された表示結果に関わらず遊技用価値（例えば、メダル）を付与しない一方、前記通常単位遊技（通常遊技）において導出された表示結果に応じて遊技用価値（例えば、メダル）を付与する遊技用価値付与手段と、
前記特殊単位遊技（例えば、擬似遊技）のうち判定開始条件が成立することで行われる判定用特殊単位遊技（例えば、判定用擬似遊技）において所定操作態様（例えば、所定の停止順）で前記導出操作手段（例えば、ストップスイッチ８Ｌ、８Ｃ、８Ｒ）が操作されたときに所定制御（例えば、ＡＴ信号の出力、上乗せ用擬似遊技）を行う所定制御手段と、
前記判定用特殊単位遊技（例えば、判定用擬似遊技）において前記所定操作態様（所定の停止順）を特定可能な所定制御情報（例えば、停止順種別コマンド）を前記制御情報（例えば、コマンド）として前記演出制御手段（例えば、サブ制御部９１）に対して送信する所定制御情報送信手段と、
を含み、
前記演出制御手段（例えば、サブ制御部９１）は、前記所定制御情報（例えば、停止順種別コマンド）を受信したときに、該所定制御情報（例えば、停止順種別コマンド）から特定される所定操作態様（例えば、所定の停止順）を特定可能に報知する所定時操作態様報知手段（例えば、判定用擬似遊技に伴うナビ演出）を含む
ことを特徴としている。
この特徴によれば、遊技制御手段が判定用特殊単位遊技において所定操作態様で導出操作手段が操作されたときに所定制御を行うとともに、演出制御手段に対して所定操作態様を特定可能な所定制御情報を送信し、演出制御手段は所定制御情報から特定される所定操作態様を特定可能に報知することが可能とされており、演出制御手段が判定用特殊単位遊技において所定操作態様を特定可能に報知することにより報知された操作態様での操作を遊技者に対して促し、報知された操作態様で導出操作手段の操作が遊技者により行われることで、遊技制御手段に対して所定制御を行わせることが可能となる。
また、導出が許容される表示結果を決定する事前決定手段の決定結果に依存する通常単位遊技ではなく、事前決定手段の決定結果に依存しない判定用特殊単位遊技において所定操作態様で導出操作手段が操作されたときに所定制御が行われるため、一度、判定開始条件が成立して判定用特殊単位遊技が行われれば、事前決定手段の決定結果に関わらず、所定制御を行わせることが可能となるため、極力早い段階で所定制御を行わせることができる。また、判定用特殊単位遊技では、通常単位遊技と異なり、遊技用価値の使用及び遊技用価値の付与を伴わないため、所定制御を行わせるための期間において遊技用価値の増減を極力抑えることができる。
【００１７】
なお、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１８】
【図１】本発明が適用された実施例のスロットマシンの正面図である。
【図２】リールの図柄配列を示す図である。
【図３】スロットマシンの内部構造を示す斜視図である。
【図４】スロットマシンの構成を示すブロック図である。
【図５】小役の種類、小役の図柄組み合わせ、及び小役に関連する技術事項について説明するための図である。
【図６】再遊技役の種類、再遊技役の図柄組み合わせ、及び再遊技役に関連する技術事項について説明するための図である。
【図７】移行出目の図柄組み合わせ、及び移行出目に関連する技術事項について説明するための図である。
【図８】遊技状態の遷移を説明するための図である。
【図９】遊技状態の概要を示す図である。
【図１０】遊技状態毎に抽選対象役として読み出される抽選対象役の組み合わせについて説明するための図である。
【図１１】遊技状態毎に抽選対象役として読み出される抽選対象役の組み合わせについて説明するための図である。
【図１２】抽選対象役により入賞が許容される役の組み合わせについて説明するための図である。
【図１３】複数の再遊技役当選時のリール制御を説明するための図である。
【図１４】複数のベル当選時のリール制御を説明するための図である。
【図１５】メイン制御部が実行するゲーム処理の制御内容を示すフローチャートである。
【図１６】メイン制御部がゲーム処理内で実行するフリーズ関連処理の制御内容を示すフローチャートである。
【図１７】メイン制御部がゲーム処理内で実行するフリーズ関連処理の制御内容を示すフローチャートである。
【図１８】サブ制御部が一定間隔毎に実行するタイマ割込処理（サブ）の制御内容を示すフローチャートである。
【図１９】サブ制御部がタイマ割込処理（サブ）において実行するＡＴゲーム数上乗せ抽選処理の制御内容を示すフローチャートである。
【図２０】サブ制御部がタイマ割込処理（サブ）において実行する開始促進報知処理の制御内容を示すフローチャートである。
【図２１】サブ制御部がタイマ割込処理（サブ）において実行する停止促進報知処理の制御内容を示すフローチャートである。
【図２２】本発明の具体例を示す説明図である。
【図２３】本発明の具体例を示す説明図である。
【図２４】本発明の具体例を示す説明図である。
【図２５】本発明の変形例において、通常遊技における停止順種別とメイン制御部の判定内容、及びサブ制御部のナビ演出の関係を示す図である。
【図２６】本発明の変形例において、判定用擬似遊技における停止順種別とメイン制御部の判定内容、及びサブ制御部のナビ演出の関係を示す図である。
【図２７】本発明の変形例において、メイン制御部においてＡＴ信号を出力する制御、及び上乗せ用擬似遊技を行う制御の流れを示す図である。
【図２８】本発明の変形例において、通常遊技における通常リプレイの当選から判定用擬似遊技に移行するまでの流れを説明するための図である。
【図２９】本発明の変形例において、判定用擬似遊技から所定制御を行うまでの流れを説明するための図である。
【図３０】本発明の変形例において、１回目のＡＴが開始された際にメイン制御部によるＡＴ開始の判定状況を示す図である。
【図３１】本発明の変形例において、Ｎ＋１回目のＡＴが開始された際にメイン制御部によるＡＴ開始の判定状況を示す図である。
【図３２】本発明の変形例において、メイン制御部による上乗せ抽選当選の判定状況を示す図である。
【図３３】本発明の変形例において、上乗せパターンＡでの上乗せ用擬似遊技の流れを示す図である。
【図３４】本発明の変形例において、上乗せパターンＡでの上乗せ用擬似遊技の流れを示す図である。
【図３５】本発明の変形例において、演出の態様を変化させるときの説明図である。
【発明を実施するための形態】
【００１９】
［スロットマシンの構成］
本発明に係るスロットマシンを実施するための形態を実施例に基づいて以下に説明する図１は、本実施形態に係るスロットマシン１の全体構造を示す正面図である。スロットマシン１は、前面が開口する筐体１ａと、この筺体１ａの側端に回動自在に枢支された前面扉１ｂとを含む。前面扉１ｂの中央上部には、液晶表示器５１が設けられている。液晶表示器５１は、表示領域５１ａを有しており、透視窓３に対応する透過領域５１ｂが透過可能である。これにより、表示領域５１ａで所定の演出を実行可能とするとともに、表示領域５１ａのうち透過領域５１ｂが透過することで透視窓３を介して筐体１ａ内部に並設されているリール２Ｌ、２Ｃ、２Ｒ（以下、左リール、中リール、右リールとも称する）が視認可能となる。図２は、各リールの図柄配列を示す図である。リール２Ｌ〜２Ｒには、各々が識別可能な複数種類の図柄が所定の順序で配列されている。なお、リールの個数は、３つに限らず、１つであってもよく、２以上であってもよい。また、可変表示部は、物理的なリールにて構成されている例を示しているが、液晶表示器などの画像表示装置にて構成されているものであってもよい。
【００２０】
液晶表示器５１の右下には、メダルを投入可能なメダル投入部４が設けられ、前面扉１ｂの下部には、メダルが払い出されるメダル払出口９、スピーカ５３、５４が設けられている。
【００２１】
また、前面扉１ｂには、操作手段の一例として、遊技者所有の遊技用価値（メダル数）として記憶されているクレジットの範囲内において遊技状態に応じて定められた規定数の賭数を設定する際に操作されるＭＡＸＢＥＴスイッチ６、クレジットおよび設定済の賭数を精算して返却させる際に操作される精算スイッチ１０、ゲームを開始する際に操作されるスタートスイッチ７、リール２Ｌ〜２Ｒの回転を各々停止する際に操作されるストップスイッチ８Ｌ、８Ｃ、８Ｒなどが設けられている。なお、賭数を設定してスタートスイッチ７が操作されると通常遊技を開始する。
【００２２】
前面扉１ｂには、報知手段の一例として、遊技に関する情報を報知する遊技用表示部１３が設けられている。遊技用表示部１３には、クレジットとして記憶されているメダル数が表示されるクレジット表示器１１、メダルの払出枚数やエラー時にエラーコードなどが表示される遊技補助表示器１２、設定されている賭数を報知するための１ＢＥＴＬＥＤ１４、２ＢＥＴＬＥＤ１５、３ＢＥＴＬＥＤ１６、メダル投入が可能であることを報知する投入要求ＬＥＤ１７、スタートスイッチ７の操作によるゲームのスタート操作が可能であることを報知するスタート有効ＬＥＤ１８、スタートスイッチ７の操作後においてウエイト（前回のゲーム開始から一定期間経過していないためにリール２Ｌ、２Ｃ、２Ｒの回転開始を待機している状態）中であることを報知するウエイト中ＬＥＤ１９、リプレイ入賞後のリプレイゲーム中であることを報知するリプレイ中ＬＥＤ２０が設けられている。
【００２３】
スロットマシン１においてゲームを行う場合には、まず、メダルをメダル投入部４に投入するかＭＡＸＢＥＴスイッチ６操作などにより規定数の賭数（たとえば３）を設定する。これにより、入賞ラインＬＮが有効となり、スタートスイッチ７への操作が有効となり、ゲームが開始可能な状態となる。賭数設定済の状態でメダルが投入された場合には、その分はクレジットに加算される。
【００２４】
入賞ラインとは、リール２Ｌ〜２Ｒの透視窓３に表示された図柄の組合せが入賞図柄の組合せであるかを判定するためのラインである。本実施形態では、１本の入賞ラインＬＮのみ設けられている例について説明するが、複数の入賞ラインが設けられているものであってもよい。また、入賞を構成する図柄の組合せが入賞ラインＬＮに揃ったことを認識しやすくする無効ラインＬＭ１〜ＬＭ４が設けられている。無効ラインＬＭ１〜ＬＭ４は、入賞判定されるラインではなく、入賞ラインＬＮに特定の入賞図柄の組合せ（いわゆるばらけ目）が揃った際に、無効ラインＬＭ１〜ＬＭ４のいずれかに所定の図柄の組合せ（例えば、ベル−ベル−ベル）を揃えることで、入賞ラインＬＮに特定の入賞を構成する図柄の組合せが揃ったことを認識しやすくするものである。
【００２５】
ゲームが開始可能な状態でスタートスイッチ７が操作されると、リール２Ｌ〜２Ｒを回転させて図柄を変動表示し、ストップスイッチ８Ｌ〜８Ｒが操作されると対応するリールの回転を停止させることで、透視窓３の上中下段に３つの図柄を表示結果として導出表示する。入賞ラインＬＮ上に入賞図柄の組合せが停止し入賞が発生したときには、入賞に応じて、所定枚数のメダルが遊技者に対して付与されて、クレジット加算か、クレジットが上限数（５０）に達した場合にはメダル払出口９からメダルが払い出される。
【００２６】
図３は、スロットマシン１の内部構造を示す図である。図４は、スロットマシン１の機能構成例を示す図である。図４の例では、遊技の進行を制御するとともに、遊技の進行に応じて各種コマンドを出力する遊技制御基板４０、コマンドに応じて所定の演出を制御する演出制御基板９１、電気部品の駆動電源を生成する電源基板１０１、遊技の進行に応じた信号を外部に出力する外部出力基板１０００などが設けられている。
【００２７】
遊技制御基板４０は、各種の操作手段や検出手段（図４の遊技制御基板４０の左側に例示）などのスイッチ類からの検出信号に基づいて遊技を進行させ、報知手段（図４の遊技制御基板４０の左側に例示）などの表示機器類を駆動制御する。また、遊技制御基板４０は、リールセンサ３３Ｌ〜３３Ｒからの信号に基づき、リールモータ３２Ｌ〜３２Ｒを駆動制御する。
【００２８】
遊技制御基板４０には、メイン制御部４１などの回路構成（図４の遊技制御基板４０内に例示）が搭載されている。メイン制御部４１は、遊技の進行に関する処理を行うととともに、遊技制御基板４０に搭載あるいは接続された構成を直接的または間接的に制御する。メイン制御部４１は、１チップマイクロコンピュータであり、ＣＰＵ、ＲＯＭ、ＲＡＭ、Ｉ／Ｏポートなどを備えている。
【００２９】
演出制御基板９０は、液晶表示器５１などの演出装置（図４の演出制御基板９０の左側に例示）を駆動制御する。演出制御基板９０には、サブ制御部９１などの回路構成（図４の演出制御基板９０内に例示）が搭載されている。サブ制御部９１は、遊技制御基板４０から送信されるコマンドを受けて、演出を行う処理を行うとともに、演出制御基板９０に搭載あるいは接続された構成を直接的または間接的に制御する。サブ制御部９１は、１チップマイクロコンピュータであり、ＣＰＵ、ＲＯＭ、ＲＡＭ、Ｉ／Ｏポートなどを備えている。電源基板１０１には、ホッパーモータ３４ｂ、各種の操作手段や検出手段（図４の電源基板１０１の右側に例示）などが接続されている。
【００３０】
図５および図６は、入賞役の種類、入賞役の図柄組み合わせ、及び入賞役に関連する技術事項について説明するための図である。名称欄には、入賞役の名称を示し、図柄の組合せ欄には、その入賞役が入賞となる図柄の組合せを示している。また、無効ラインに揃う図柄の組合せ欄には、入賞となる図柄の組合せが入賞ラインに停止したときに無効ラインに停止する図柄の組合せであって遊技者が認識しやすい図柄の組合せを示している。払出枚数欄には、入賞時に付与される価値（メダル払出、再遊技付与）を示している。また、図６の遊技状態欄には、入賞時に移行される遊技状態を示している。また、「／」は、「または」を示している。たとえば、図６の転落リプレイについて、図柄の組合せは、「ベル‐リプレイ‐ベル」となり、入賞時にはＲＴ１に制御され、付与される価値は再遊技付与である。
【００３１】
図７は、移行出目の図柄組合せを示す図である。移行出目は、左ベル１〜４、中ベル１〜４、右ベル１〜４が当選し、中段ベルの入賞条件となるリール以外を第１停止とし、かつ当選している上段ベルを取りこぼした場合に、入賞ラインＬＮに揃う出目である。ＲＴ０、２、３中において移行出目が入賞ラインＬＮ上に停止すると、ＲＴ１へ移行される。
【００３２】
図８は、メイン制御部４１により制御される遊技状態の遷移を説明するための図であり、図９は、遊技状態及びＲＴの概要を示す図である。本実施形態におけるスロットマシン１は、リプレイが所定の当選確率（図９の上図の再遊技役欄の数値参照）で当選するＲＴ０〜３のうち、開始条件が成立してから終了条件が成立するまで対応するいずれかのＲＴに制御される（図８の矢印に沿って示した入賞役あるいは出目参照、図９の上図の開始条件・終了条件欄の参照）。内部抽選されるリプレイの種類は、ＲＴの種類毎に定められている（図９の下図の丸印が抽選されるリプレイを示す）。
【００３３】
図１０および図１１は、遊技状態毎に抽選対象役（以下、当選役ともいう）として読み出される抽選対象役の組合せを示す図である。抽選対象役欄には、その名称を示し、遊技状態欄には、ＲＴの種類毎に、丸印でその抽選対象役が抽選対象であることを示し、丸印の下の数値により当選確率にかかわる判定値数を示している。たとえば、ベルは、ＲＴ〜ＲＴ３いずれかの状態において、３６０／６５５３６で当選する抽選対象役である。
【００３４】
図１２は、抽選対象役に含まれる入賞役の組合せを示す図である。たとえば、弱チェリーは、下段チェリーである。弱スイカは、右下がりスイカと、上段スイカと、中段スイカとを含む。よって、内部抽選で弱スイカに当選したときには、右下がりスイカと、上段スイカと、中段スイカとに当選したことになる。
【００３５】
図１３および図１４は、複数の入賞役が同時当選したときのリール制御を説明するための図である。当選した抽選対象役毎に、押し順欄に示す押し順で停止操作されたときに、その右の停止する図柄組合せに示す入賞役の図柄組合せが入賞ラインＬＮに停止させるリール制御が行なわれる。たとえば、リプレイＧＲ１が当選したときにおいて、押し順が左中右であるときは、昇格リプレイ１が導出されて、押し順が左中右以外であるときは通常リプレイが導出される。また、たとえば、左ベルが当選したときにおいて、押し順が左第１停止であるときは、右下がりベルが導出されて、押し順が左第１停止以外であれば、上段ベルまたは移行出目が導出される。
【００３６】
スロットマシン１における“ゲーム”とは、狭義には、スタートスイッチ７が操作されてからリール２Ｌ〜２Ｒが停止するまでをいうが、ゲームを行う際にスタートスイッチ７の操作前の賭数設定や、リール２Ｌ〜２Ｒの停止後にメダルの払い出しや遊技状態の移行も行われるので、これらの付随的な処理も広義には“ゲーム”に含まれる。
【００３７】
［ゲーム処理］
図１５に示すように、メイン制御部４１は、ゲーム制御処理を行って１回のゲームを制御する。ゲーム制御処理では、まず、賭数設定やクレジット精算・賭数精算するためのＢＥＴ処理が行われる（Ｓｄ１）。
【００３８】
賭数設定後、スタートスイッチ７が操作されると乱数抽選により入賞の発生を許容するか否かを決定（内部抽選）するための内部抽選処理（図１０〜図１２など参照）が行われる（Ｓｄ２）。
【００３９】
内部抽選処理が終了すると、遅延条件が成立したときに遊技の進行を所定期間に亘って遅延させるフリーズ状態に制御するフリーズ関連処理を行う（Ｓｄ３）。
【００４０】
本実施形態では、遅延条件は、後述するＡＴ（アシストタイム）中にフリーズ対象役に当選することとなっている。メイン制御部４１は、ＡＴ中にフリーズ対象役に当選した場合に、その次ゲームでゲームが開始されたときにフリーズ状態に制御する。
【００４１】
フリーズ状態中においては、全リールを回転開始させた後にリールを自動的に停止させるリール演出を実行する。リールの回転開始から自動停止するまでの１セットのリール演出が終了したときは、再度リール演出を実行するか否かを決定するリール演出継続抽選を実行する。
【００４２】
リール演出継続抽選に当選した場合には、ＡＴのゲーム数が上乗せされることを示す図柄組み合わせが停止する。本実施形態では、当該組み合わせは入賞ラインＬＮ上に「黒７」が揃う組み合わせになっている。図柄の停止後、再度リール演出を実行する。
【００４３】
リール演出継続抽選に当選しなかった場合には、ＡＴのゲーム数が上乗せされることを示す図柄組み合わせ以外の図柄組み合わせが停止する。本実施形態では、当該組み合わせは入賞ラインＬＮ上に「黒７」がテンパイするが揃わない組み合わせになっている。
【００４４】
そして、スタートスイッチ７やストップスイッチ８Ｌ、８Ｃ、８Ｒの操作を遊技の進行に関与しない操作として受付可能とする。この状態でスタートスイッチ７を操作するとリールが回転開始して擬似遊技が開始する。擬似遊技は、ストップスイッチ８Ｌ、８Ｃ、８Ｒが操作されたとき、または、ストップスイッチ８Ｌ、８Ｃ、８Ｒが操作されることなく３０秒が経過したときに終了する。
【００４５】
擬似遊技では、ストップスイッチ８Ｌ、８Ｃ、８Ｒの押し順が左押し（ストップスイッチ８Ｌが第１停止の押し順）または右押し（ストップスイッチ８Ｒが第１停止の押し順）の２択のうちのいずれかを選択する。メイン制御部４１は、いずれか一方を正解の押し順としてランダムに決定する。遊技者がストップスイッチ８Ｌ、８Ｃ、８Ｒを操作した結果、押し順が正解である場合には特定表示結果として入賞ラインＬＮ上に「黒７」が揃う組み合わせが停止する。正解でない場合には特定表示結果以外の表示結果として入賞ラインＬＮ上に「黒７」がテンパイするが揃わない組み合わせが停止する。このとき、リールは仮停止した状態となる。リールが仮停止した状態では、リールを停止位置で振動させるなど、リールが完全に停止せずに停止位置で微動している状態になる。
【００４６】
また、擬似遊技において、ストップスイッチ８Ｌ、８Ｃ、８Ｒが操作されることなく３０秒が経過したときは、１/２の当選確率でリール演出継続抽選を実行する。リール演出継続抽選に当選した場合には特定表示結果として入賞ラインＬＮ上に「黒７」が揃う組み合わせが停止する。リール演出継続抽選に当選した場合には特定表示結果以外の表示結果として入賞ラインＬＮ上に「黒７」がテンパイするが揃わない組み合わせが停止する。このとき、リールは仮停止した状態となる。リールが仮停止した状態では、リールを停止位置で振動させるなど、リールが完全に停止せずに停止位置で微動している状態になる。
【００４７】
特定表示結果が表示されて擬似遊技が終了したときには再度リール演出を実行する。特定表示結果以外の表示結果が表示されて擬似遊技が終了したときにはフリーズ状態が終了する。そして、スタートスイッチ７の操作が遊技の進行に関与する操作として受付可能となる。スタートスイッチ７を操作すると、再び全リールが開始してストップスイッチ８Ｌ、８Ｃ、８Ｒの操作が遊技の進行に関与する操作として受付可能となる。
【００４８】
このように、フリーズ状態が開始されてから終了するまでは、通常遊技の開始タイミングや、ゲームを進行させるためのスタートスイッチ７の操作やストップスイッチ８Ｌ、８Ｃ、８Ｒの操作を遅延させることで遊技の進行を遅延する。
【００４９】
フリーズ関連処理が終了した後は、通常遊技を実行するためのリール回転処理が行われる（Ｓｄ４）。リール回転処理では、前回ゲームのリール回転開始から所定時間（たとえば、４．１秒）経過していることを条件に、リール２Ｌ〜２Ｒの回転を開始させた後、遊技の進行に関与する操作としてストップスイッチ８Ｌ〜８Ｒを有効化し、停止操作に応じてリールの回転を停止させる（図１３、図１４など参照）。これにより、通常遊技を開始する。
【００５０】
リール２Ｌ〜２Ｒが停止してリール回転処理が終了すると、入賞ライン上の図柄組合せに基づいて入賞などが発生したか否かを判定する入賞判定処理（図５〜図７など参照）が行われる（Ｓｄ５）。
【００５１】
入賞判定処理が終了すると、サブ制御部９１がＡＴを実行しているか否かを判定する演出状態制御判定処理を実行する（Ｓｄ６）。
【００５２】
演出状態制御判定処理では、メイン制御部４１は、内部抽選結果がハズレの場合（いずれの役も当選していない場合）または通常リプレイが当選した場合に、停止順種別として０または１の一方をランダムに選択する停止順種別選択抽選を行い、選択した停止順種別をＲＡＭ４１ｃに設定するとともに、選択した停止順種別を特定可能な停止順種別コマンドをサブ制御部９１に対して送信する。
【００５３】
そして、メイン制御部４１は、ストップスイッチの実際の押し順と停止順種別選択抽選にて選択された押し順とを比較する。メイン制御部４１は、押し順が一致した場合には、停止順種別選択抽選にて選択された押し順と実際の押し順とが一致した回数をカウントする押し順判定カウンタのカウント値に「１」加算する。そして、押し順判定カウンタのカウント値が「３」であれば、ＡＴが開始されたことを特定し、ＲＡＭ４１ｃの所定領域にＡＴ実行中フラグをセットする。
【００５４】
ここで、３回連続して押し順が一致したときに押し順判定カウンタのカウント値は「３」になるので、ＡＴ中のナビ演出に従ってストップスイッチを操作した結果、押し順が連続して一致した可能性が高い。よって、このとき、メイン制御部４１は、ＡＴ中であることを特定する。また、メイン制御部４１は、ストップスイッチの実際の押し順と停止順種別選択抽選にて選択された押し順とを比較した結果、押し順が一致しなかった場合には、押し順判定カウンタのカウント値をクリアする。
【００５５】
演出状態制御判定処理が終了した後には、払出処理が行われる（Ｓｄ７）。払出処理では、入賞の発生に応じてメダルの払出しまたはクレジット加算が行われる。ゲーム終了時処理では、次のゲームに備えて遊技状態を設定する処理（図８、図９など参照）を実行する（Ｓｄ８）。これにより、１ゲーム分のゲーム制御処理が終了し、次の１ゲーム分のゲーム制御処理が開始する。
【００５６】
また、メイン制御部４１は、上記に例示した処理の実行に応じた遊技の進行状況および処理結果を特定可能なコマンドをサブ制御部９１に送信する。サブ制御部９１は、メイン制御部４１からのコマンドに基づいて、各種処理を行う。
【００５７】
本実施形態では、メイン制御部４１がサブ制御部９１に対して、内部当選コマンド、ストップスイッチやスタートスイッチの操作コマンド、フリーズ開始コマンド、フリーズ終了コマンド、リール演出継続コマンド、仮停止コマンドを含む複数種類のコマンドを送信する。
【００５８】
内部当選コマンドは、内部当選フラグの当選状況、並びに成立した内部当選フラグの種類、特別役の持ち越しの有無を特定可能なコマンドであり、スタートスイッチ７が操作されてゲームが開始したときに送信される。
【００５９】
ストップスイッチやスタートスイッチの操作コマンドはストップスイッチやスタートスイッチが操作されたことを示すコマンドであり、各操作時に送信される。
【００６０】
フリーズ開始コマンドは、フリーズ状態が開始したことを示すコマンドであり、フリーズ状態の開始時（すなわち、スタートスイッチ７の操作時）に送信される。
【００６１】
フリーズ終了コマンドは、フリーズ状態が終了したことを示すコマンドであり、擬似遊技が終了してフリーズ状態が終了するときに送信される。
【００６２】
リール演出継続コマンドはリール演出継続抽選に当選したことを示すコマンドであり、リール演出継続抽選に当選したときに送信される。
【００６３】
仮停止コマンドは、擬似遊技が終了して通常遊技が開始される前の段階で図柄が仮停止していることを示すコマンドであり、擬似遊技で特定表示結果以外の表示結果が表示されているときに送信される。
【００６４】
［フリーズ関連処理］
次に、図１５に示すゲーム処理中で実行するフリーズ関連処理（Ｓｄ３）について説明する。
【００６５】
図１６および図１７に示すように、メイン制御部４１は、図１５のＳｄ６の演出状態制御判定処理の判定結果にもとづいて、ＡＴ中か否かを判定する（Ｓｃ１）。ＡＴ中でない場合には処理を終了する。
【００６６】
ＡＴ中の場合には、フリーズ状態に制御することを示すフリーズ実行フラグがセットされているか否かを判定する（Ｓｃ２）。フリーズ実行フラグがセットされていない場合（Ｓｃ２でＮ）には、遅延条件の成立となるフリーズ対象役に当選したか否かを判定する（Ｓｃ１２）。フリーズ対象役に当選していない場合（Ｓｃ１２でＮ）には処理を終了する。フリーズ対象役に当選した場合（Ｓｃ１２でＹ）にはフリーズ実行フラグをＲＡＭ４１ｃにセットして処理を終了する（Ｓｃ１３）。
【００６７】
一方、Ｓｃ２でフリーズ実行フラグがセットされていると判定した場合（Ｓｃ２でＹ）にはフリーズ状態に制御する（Ｓｃ３）。次いで、リール演出を実行する（Ｓｂ４）。リール演出では、通常遊技とは異なる態様でリール２Ｌ，２Ｃ，２Ｒが回転する。たとえば、リール演出の実行により、リール２Ｌ，２Ｃ，２Ｒのうちの少なくともいずれか１つが逆回転する。
【００６８】
また、リール演出の実行に併せてリール演出継続抽選を実行する（Ｓｃ５）。次いで、リール演出の実行により回転しているリールを停止させる（Ｓｃ６）。そして、リール演出継続抽選に当選したか否かを判定する（Ｓｃ７）。リール演出継続抽選に当選した場合（Ｓｃ７でＹ）には、リール演出継続コマンドをサブ制御部９１に送信し、Ｓｃ４〜Ｓｃ６のステップを再度繰り返して実行する。リール演出継続抽選に当選しなかった場合（Ｓｃ７でＮ）には、擬似遊技を実行する（Ｓｃ８）。具体的には、遊技の進行に関与しない操作としてスタートスイッチ７の操作およびストップスイッチ８Ｌ、８Ｃ、８Ｒの操作を受付可能にする。そして、スタートスイッチ７の操作に応答してリール２Ｌ，２Ｃ，２Ｒを回転させる。なお、サブ制御部９１は、スタースイッチ７の操作により擬似遊技が開始されてから経過した時間を計時する。
【００６９】
次いで、ストップスイッチ８Ｌ、８Ｃ、８Ｒが操作されたか否かを判定する（Ｓｃ９）。ストップスイッチ８Ｌ，８Ｃ，８Ｒが操作された場合（Ｓｃ９でＹ）には、押し順が正解か否かを判定する（Ｓｃ１０）。押し順は左押し（左→中→右）または右押し（右→中→左）の２択になり、メイン制御部４１は擬似遊技の開始時にランダムにいずれかを正解の押し順に決定する。
【００７０】
そして、押し順が正解した場合（Ｓｃ１０でＹ）には、特定表示結果が表示されるようにリールの停止制御を行う（Ｓｃ１１）。具体的には、特定の図柄組み合わせ（「黒７」が揃う組み合わせ）が入賞ラインＬＮ上に停止するようにリールの停止制御を行う。これにより、特定の図柄組み合わせが入賞ラインＬＮ上に仮停止する。特定表示結果の表示後はＳｃ４の処理に戻る。また、このとき、リール演出継続コマンドをサブ制御部９１に送信する。
【００７１】
押し順が正解でない場合（Ｓｃ１０でＮ）には、特定表示結果以外の表示結果が表示されるようにリールの停止制御を行う（Ｓｃ１７）。具体的には、特定の図柄組み合わせ以外の図柄組み合わせ（「黒７」がテンパイするが揃わない組み合わせ）が入賞ラインＬＮ上に停止するようにリールの停止制御を行う。これにより、特定の図柄組み合わせ以外の図柄組み合わせが入賞ラインＬＮ上に仮停止する。このとき、メイン制御部４１はサブ制御部９１に仮停止コマンドを送信する。
【００７２】
次いで、スタートスイッチ７が操作されたか否かを判定する（Ｓｃ１８）。スタートスイッチ７が操作されていない場合（Ｓｃ１８でＮ）には判定を繰り返す。スタートスイッチ７が操作された場合（Ｓｃ１８でＹ）にはフリーズ状態の制御を終了し（Ｓｃ１９）、フリーズ実行フラグをクリアして処理を終了する（Ｓｃ２０）。このとき、メイン制御部４１はサブ制御部９１にフリーズ終了コマンドを送信する。
【００７３】
一方、Ｓｃ９でストップスイッチ８Ｌ，８Ｃ，８Ｒが操作されていないと判定された場合（Ｓｃ９）には、擬似遊技の開始から３０秒が経過したか否かを判定する（Ｓｃ１４）。擬似遊技の開始から３０秒経過していない場合（Ｓｃ１４でＮ）には、Ｓｃ９に戻る。
【００７４】
擬似遊技の開始から３０秒が経過した場合（Ｓｃ１４でＹ）にはリール演出継続抽選を実行する（Ｓｃ１５）。このとき、リール演出継続抽選は１/２の確率で当選するように判定値数の数が決められている。ここで、Ｓｃ１０においてストップスイッチ８Ｌ，８Ｃ，８Ｒの押し順が正解したと判定されると、Ｓｃ４の処理に戻り、一旦終了したリール演出が実行される。そして、ストップスイッチ８Ｌ，８Ｃ，８Ｒの押し順が正解する確率は２択であるので１/２である。よって、擬似遊技においてストップスイッチ８Ｌ，８Ｃ，８Ｒを操作した場合と、ストップスイッチ８Ｌ，８Ｃ，８Ｒを操作せずにリール継続抽選が実行された場合とにおいて、リール演出が実行される確率は同一になっている。
【００７５】
そして、リール演出継続抽選に当選したか否かを判定する（Ｓｃ１６）。リール演出継続抽選に当選した場合（Ｓｃ１６でＹ）にはＳｃ１１の処理に戻る。また、このとき、リール演出継続コマンドをサブ制御部９１に送信する。一方、リール演出継続抽選に当選しなかった場合（Ｓｃ１６でＮ）には、Ｓｃ１７〜Ｓｃ２０の処理を行う。
【００７６】
［タイマ割込処理（サブ）］
次に、サブ制御部９１（ＣＰＵ９１ｃ）が内部クロックのカウント値に基づいて１．１２ｍｓの間隔で実行するタイマ割込処理（サブ）について説明する。
【００７７】
図１８に示すように、タイマ割込処理（サブ）においては、サブ制御部９１は、まず、使用中のレジスタをスタック領域に退避する（Ｓｐ１）。次いで、停電判定処理を行う（Ｓｐ２）。停電判定処理では、電断検出回路４８から電圧低下信号が入力されているか否かを判定し、電圧低下信号が入力されていれば、前回の停電判定処理でも電圧低下信号が入力されていたか否かを判定し、前回の停電判定処理でも電圧低下信号が入力されていた場合には停電と判定し、その旨を示す電断フラグを設定する。
【００７８】
Ｓｐ２のステップにおける停電判定処理の後、電断フラグが設定されているか否かを判定し（Ｓｐ３）、電断フラグが設定されていた場合には電断処理（サブ）に移行する。電断処理（サブ）では起動処理（サブ）で用いるバックアップフラグをバックアップデータの作成後にセットしたり、チェックサムをバックアップデータの排他的論理和を算出して計算するなどの処理を実行する。
【００７９】
電断フラグが設定されていない場合にはコマンド解析処理を実行する（Ｓｐ４）。コマンド解析処理では、コマンドバッファにコマンドが格納されているか否かを判定し、コマンドバッファにコマンドが格納されていればコマンドバッファからコマンドを取得する。そして、取得したコマンドに応じた処理を実行する。
【００８０】
次いで、アシストタイム（以下、ＡＴという）に制御するためのＡＴ制御処理を実行する（Ｓｐ５）。ＡＴ制御処理において、サブ制御部９１は、抽選対象役に当選するなどＡＴ抽選契機が成立したときに、ＡＴに制御するか否かを決定するＡＴ抽選を行う。そして、ＡＴ抽選でＡＴに制御すると決定したときにＡＴに制御する。ＡＴには５０ゲーム消化するまで制御する。ＡＴ中にゲーム数が上乗せされた場合には、上乗せゲーム数を５０ゲームに加算したゲーム数が消化されるまでＡＴに制御する。
【００８１】
サブ制御部９１は、ＡＴ中においては、内部抽選処理によりたとえば図１３、図１４に示す所定の抽選対象役に当選したときに送信されるコマンド受信時に、遊技者にとって有利な図柄組合せを入賞ラインＬＮ上に停止させるための操作手順（押し順）を特定可能なナビ演出を実行する。このため、ＡＴに制御されることにより、遊技者は有利となる。有利な図柄組合せとは、たとえば、リプレイＧＲ１〜６当選時には昇格リプレイをいい、リプレイＧＲ１１〜１３当選時には通常リプレイをいい、リプレイＧＲ２１〜２３当選時には特殊リプレイをいい、左ベル１〜右ベル４当選時には右下がりベルあるいは中段ベルをいう。
【００８２】
次いで、ＡＴのゲーム数を上乗せするためのＡＴゲーム数上乗せ抽選処理を実行する（Ｓｐ６）。ＡＴゲーム数上乗せ抽選処理では、サブ制御部９１は、図１５のＳｃ５でのリール演出継続抽選に当選した場合に複数のゲーム数のうちからいずれかを抽選で決定し、決定したゲーム数を上乗せする。
【００８３】
次いで、擬似遊技の終了時にスタートスイッチ７の操作を促すことにより、通常遊技を開始することを促す開始促進報知処理を実行する（Ｓｐ７）。
【００８４】
次いで、通常遊技の開始から３０秒が経過するまでにストップスイッチ８Ｌ，８Ｃ，８Ｒが操作されなかった場合には、ストップスイッチ８Ｌ，８Ｃ，８Ｒの操作を促す停止促進報知処理を実行する（Ｓｐ８）。
【００８５】
［ＡＴゲーム数上乗せ抽選処理］
次に、タイマ割込処理（サブ）内で実行されるＡＴゲーム数上乗せ抽選処理について説明する。
【００８６】
図１８に示すように、サブ制御部９１は、ＡＴ中か否かを判定する（Ｓａ１）。ＡＴ中でない場合（Ｓａ１でＮ）には処理を終了する。ＡＴ中の場合（Ｓａ１でＹ）には、図１６のＳｃ７およびＳｃ１６でＹのときにメイン制御部４１が送信するリール演出継続コマンドを受信したか否かを判定する（Ｓａ２）。リール演出継続コマンドを受信していない場合（Ｓａ２でＮ）には処理を終了する。
【００８７】
リール演出継続コマンドを受信した場合（Ｓａ２でＹ）には、ＡＴの上乗せゲーム数を決定する上乗せ抽選を実行する（Ｓａ３）。上乗せ抽選では、複数種類の上乗せゲーム数のうちからいずれかを決定する。次いで、上乗せ抽選で決定した上乗せゲーム数をＡＴゲーム数カウンタにセットする（Ｓａ４）。サブ制御部９１は、図１８のＡＴ制御処理において、ＡＴでゲームが行われるたびにＡＴゲーム数カウンタの値を減算していき、ＡＴゲーム数カウンタのカウント値が０になったときにＡＴを終了させる。
【００８８】
［開始促進報知処理］
次に、タイマ割込処理（サブ）内で実行される開始促進報知処理について説明する。
【００８９】
図２０に示すように、サブ制御部９１は、通常遊技を開始することを促す開始促進報知の実行中であるか否かを判定する（Ｓｅ１）。開始促進報知の実行中でない場合（Ｓｅ１でＮ）には、図１７のＳｃ１７でメイン制御部４１が送信した仮停止コマンドを受信したか否かを判定する（Ｓｅ２）。仮停止コマンドを受信していない場合（Ｓｅ２でＮ）には処理を終了する。
【００９０】
仮停止コマンドを受信した場合（Ｓｅ２でＹ）には開始促進報知を実行開始する（Ｓｅ３）。開始促進報知は、液晶表示器５１からスタートスイッチ７の操作を促すメッセージを表示することにより実行する。
【００９１】
一方、Ｓｅ１で開始促進報知の実行中であると判定した場合（Ｓｅ１でＹ）には、図１７のＳｃ１９およびＳｃ２０の処理を行ったときにメイン制御部４１が送信するフリーズ終了コマンドを受信したか否かを判定する（Ｓｅ４）。フリーズ終了コマンドを受信していない場合（Ｓｅ４でＮ）には処理を終了する。フリーズ終了コマンドを受信した場合（Ｓｅ４でＹ）には開始促進報知の実行を終了する（Ｓｅ５）。
【００９２】
［停止促進報知処理］
次に、タイマ割込処理（サブ）内で実行される停止促進報知処理について説明する。
【００９３】
図２１に示すように、サブ制御部９１は、ストップスイッチ８Ｌ，８Ｃ，８Ｒの操作を促す停止促進報知の実行中であるか否かを判定する（Ｓｂ１）。停止促進報知の実行中でない場合（Ｓｂ１でＮ）には、通常遊技の開始から３０秒が経過したか否かを判定する（Ｓｂ２）。通常遊技の開始から３０秒が経過していない場合（Ｓｂ２でＮ）には処理を終了する。通常遊技の開始から３０秒が経過した場合（Ｓｂ２でＹ）には停止促進報知を実行開始する（Ｓｂ３）。停止促進報知は、液晶表示器５１からストップスイッチ８Ｌ，８Ｃ，８Ｒの操作を促すメッセージを表示することにより実行する。
【００９４】
一方、Ｓｂ１で停止促進報知の実行中であると判定された場合（Ｓｂ１でＹ）には、ストップスイッチ８Ｌ，８Ｃ，８Ｒが操作されたか否かを判定する（Ｓｂ４）。ストップスイッチ８Ｌ，８Ｃ，８Ｒが操作されていない場合（Ｓｂ４でＮ）には処理を終了する。ストップスイッチ８Ｌ，８Ｃ，８Ｒが操作された場合（Ｓｂ４でＹ）には停止促進報知の実行を終了する（Ｓｂ５）。
【００９５】
［具体例］
次に、本実施形態の具体例について図２２〜図２４を用いて説明する。なお、図中では上段が液晶表示器５１、下段が液晶表示器５１に対応するリール２Ｌ，２Ｃ，２Ｒの状態を示す。また、図中の矢印はリール２Ｌ，２Ｃ，２Ｒが回転していることを示す。そして、矢印の方向はリール２Ｌ，２Ｃ，２Ｒの回転方向を示す。また、本具体例では、フリーズ対象役に当選すると、「黒７」の図柄が入賞ラインＬＮ上に停止するように各リールの停止制御が行われる。また、本具体例は、ＡＴ中であるものとする。
【００９６】
図２２（ａ）に示すように、賭数を設定してスタートスイッチ７を操作すると、通常遊技が開始する。このとき、内部抽選によってフリーズ対象役に当選すると、図柄の「黒７」を停止させることを促す旨のメッセージ（図中「７を狙え！！」）が液晶表示器５１から表示される（図１６のＳｃ１２およびＳｃ１３参照）。
【００９７】
図２２（ｂ）に示すように、ストップスイッチ８Ｌ，８Ｃ，８Ｒを操作すると入賞ラインＬＮ上に図柄の「黒７」が揃う。そして、液晶表示器５１からは、次ゲームでフリーズ状態に制御されるとともに、リール演出が実行されることを示す旨のメッセージが表示される。
【００９８】
図２３（ｃ）に示すように、次ゲームを開始するとフリーズ状態に制御される（図１６のＳｃ３参照）。このとき、リール演出が開始されることを示す旨のメッセージ（図中「ＧＯ！！」）が液晶表示器５１から表示される。そして、リール演出が開始されると、左右のリール２Ｌ，２Ｒが下方向に回転するが、中リール２Ｃが上方向に回転する。回転したリールは自動的に停止する（図１６のＳｃ６参照）。
【００９９】
図２３（ｄ）に示すように、リールが自動停止したときに入賞ラインＬＮ上に図柄の「黒７」が揃うと、上乗せ抽選が行われる（図１９のＳａ３参照）。そして、ゲーム数の上乗せが発生したことを示すメッセージ（図中「ＧＥＴ！！」）が液晶表示器５１から表示される。そして、図２３（ｃ）に戻り再度リール演出が実行される（図１６のＳｃ７でＹとなりＳｃ４に戻る部分を参照）。
【０１００】
図２３（ｅ）に示すように、リールが自動停止したときに入賞ラインＬＮ上に図柄の「黒７」が揃わない場合にはリール演出が終了する（図１６のＳｃ７でＮとなる部分を参照）。このとき、ＡＴの上乗せゲーム数を獲得できなかったことを示すメッセージ（図中「ＬＯＳＴ！！」）が表示される。そして、スタートスイッチ７を操作すると図２４（ｆ）に進み、フリーズ状態に制御されたまま擬似遊技が行われる（図１６のＳｃ８参照）。
【０１０１】
図２４（ｆ）に示すように、擬似遊技が開始されるとリール２Ｌ，２Ｃ，２Ｒが通常遊技と同様に下方向に回転開始する。また、擬似遊技の開始と同時に液晶表示器５１から左第１停止で図柄の「黒７」を停止させるか、あるいは、右第１停止で図柄の「黒７」を停止させるかを遊技者に選択される旨のメッセージ（図中「右ｏｒ左から７を狙え！！」）が表示される。いずれかの押し順は正解の押し順になっている。遊技者は、２択の押し順のいずれかを選択してストップスイッチ８Ｌ，８Ｃ，８Ｒを操作する。
【０１０２】
図２４（ｇ）に示すように、ストップスイッチ８Ｌ，８Ｃ，８Ｒを操作して押し順が正解であった場合（図１６のＳｃ１０でＹと判定される部分を参照）には、入賞ラインＬＮ上に図柄の「黒７」が揃う（図１６のＳｃ１０でＹのときにＳｃ１１の処理が行われる部分を参照）。また、液晶表示器５１からはリール演出が再開される旨を示すメッセージ（図中「再開！！」）が表示される。そして、図２３（ｃ）に戻り再度リール演出が実行される（図１６のＳｃ１１の処理の後にＳｃ４に戻る部分を参照）。
【０１０３】
また、ストップスイッチ８Ｌ，８Ｃ，８Ｒを操作しなかった場合でも、擬似遊技の開始から３０秒が経過すると各リールは自動停止する。そして、このときに行われたリール演出継続抽選に当選した場合にも入賞ラインＬＮ上に図柄の「黒７」が揃う（図１６のＳｃ１６でＹのときにＳｃ１１の処理が行われる部分を参照）。また、液晶表示器５１からはリール演出が再開される旨を示すメッセージ（図中「再開！！」）が表示される。そして、図２３（ｃ）に戻り再度リール演出が実行される（図１６のＳｃ１１の処理の後にＳｃ４に戻る部分を参照）。
【０１０４】
図２４（ｈ）に示すように、ストップスイッチ８Ｌ，８Ｃ，８Ｒを操作して押し順が正解しなかった場合（図１６のＳｃ１０でＮと判定される部分を参照）には、入賞ラインＬＮ上に図柄の「黒７」が揃わない（図１６のＳｃ１０でＮのときに図１７のＳｃ１７の処理が行われる部分を参照）。また、液晶表示器５１からはリール演出が終了する旨を示すメッセージ（図中「終了！！」）が表示される。そして、フリーズ状態が終了し、通常遊技が開始される（図１７のＳｃ１９およびＳｃ２０参照）。
【０１０５】
また、ストップスイッチ８Ｌ，８Ｃ，８Ｒを操作しなかった場合に行われたリール演出継続抽選に当選しなかったときにも入賞ラインＬＮ上に図柄の「黒７」が揃わない（図１６のＳｃ１６でＮのときに図１７のＳｃ１７の処理が行われる部分を参照）。また、液晶表示器５１からはリール演出が終了する旨を示すメッセージ（図中「終了！！」）が表示される。そして、フリーズ状態が終了し、通常遊技が開始される（図１７のＳｃ１９およびＳｃ２０参照）。
【０１０６】
［変形例］
次に、上記実施形態の変形例について説明する。なお、変形例においては、ＡＴ抽選によってナビストック数を決定する。そして、ナビストックが１つ消化されるごとに５０ゲームのＡＴを行うことができる。
【０１０７】
本変形例では、サブ制御部９１は、ＡＴ残りゲーム数が０となる前に上乗せ抽選対象役（中段チェリー、強チェリー、弱チェリー、スイカ、共通ベル）に当選した場合には、遊技者にとって有利な特典としてＡＴのゲーム数を上乗せするか否かを決定する上乗せ抽選を行う。上乗せ抽選に当選した場合には、後述のようにメイン制御部４１に対して上乗せ用擬似遊技を行わせるためのナビ演出（通常リプレイ当選時及び判定用擬似遊技におけるナビ演出）を実行する。その結果、メイン制御部４１側で行われる上乗せ用擬似遊技の結果に基づいてＡＴの残りゲーム数を加算する。
【０１０８】
その後、ＡＴ残りゲーム数が０となり、ＡＴに制御する権利であるナビストックが残っていない場合にはＡＴを終了する。また、ナビストックが残っている場合には、ナビストック数を１消費（減算）して、新たに所定ゲーム数を設定し、その後ＡＴの残りゲーム数が０となるまでの期間においてＡＴに制御する。これにより、ナビストック数が０となるまで、ＡＴに継続して制御されることとなる。
【０１０９】
換言すると、本変形例においてメイン制御部４１は、通常遊技における通常リプレイ当選時の停止順に応じて判定用擬似遊技に制御可能であり、さらに判定用擬似遊技における停止順に応じてサブ制御部９１の制御状態（ＡＴ開始判定期間、上乗せパターン判定期間）を特定し、特定したサブ制御部９１の制御状態に応じた制御（ＡＴ信号出力、上乗せ用擬似遊技等）を行う。
【０１１０】
サブ制御部９１は、ＡＴ開始後、メイン制御部４１からＡＴ信号出力コマンドを受信するまでの期間においてメイン制御部４１がＡＴ開始を特定するためのＡＴ開始判定期間に制御する。また、サブ制御部９１は、ＡＴ中に上乗せ抽選対象役（中段チェリー、強チェリー、弱チェリー、スイカ、共通ベル）が当選した場合に、ＡＴのゲーム数を上乗せするか否かを決定する上乗せ抽選を行う。上乗せ抽選では、ＡＴのゲーム数を上乗せするか否かに加え、ＡＴのゲーム数を上乗せする旨が決定された場合には、メイン制御部４１側で行う上乗せ用擬似遊技の上乗せパターン、上乗せ用擬似遊技の継続率についても決定する。そして、サブ制御部９１は、上乗せ抽選にてＡＴのゲーム数を上乗せする旨が決定された場合には、メイン制御部４１が上乗せ抽選の当選、上乗せ用擬似遊技の上乗せパターン、上乗せ用擬似遊技の継続率を特定するための上乗せ判定期間に制御する。
【０１１１】
以下に、図２５〜図３１に基づいて、通常リプレイの当選時及び判定用擬似遊技におけるメイン制御部４１及びサブ制御部９１の制御について説明する。
【０１１２】
図２５は、通常リプレイの当選時にメイン制御部４１が選択する停止順種別、サブ制御部９１がＡＴ開始判定期間、上乗せ判定期間に制御されている場合に停止順種別に対応して選択するナビ演出の選択状況、実際の停止順に基づきメイン制御部４１が判定する判定内容の関係を示す図である。
【０１１３】
メイン制御部４１は、通常遊技における通常リプレイの当選時に、０及び１の２種類の停止順種別からいずれかの停止順種別をランダムに選択する。
【０１１４】
図２５に示すように、メイン制御部４１は、通常遊技における通常リプレイの当選時に停止順種別０を選択した場合に、実際の停止順が左第１停止、すなわち左中右または左右中のいずれかのとき、及び実際の停止順が中左右、右左中、右中左のいずれかのときには、ＡＴ開始判定期間でも上乗せ判定期間でもない旨を判定し、実際の停止順が中右左のときには、ＡＴ開始判定期間または上乗せ判定期間である旨を判定する。また、メイン制御部４１は、通常リプレイの当選時に停止順種別１を選択した場合に、実際の停止順が左第１停止、すなわち左中右または左右中のいずれかのとき、及び実際の停止順が中右左、右左中、右中左のいずれかのときには、ＡＴ開始判定期間でも上乗せ判定期間でもない旨を判定し、実際の停止順が中左右のときには、ＡＴ開始判定期間または上乗せ判定期間である旨を判定する。
【０１１５】
そして、ＡＴ開始判定期間でも上乗せ判定期間でもない旨を判定した場合には、判定用擬似遊技を行わず、ＡＴ開始判定期間または上乗せ判定期間である旨を判定した場合には、１回目の判定用擬似遊技を行う。
【０１１６】
図２６は、判定用擬似遊技の１回目及び２回目において、判定用擬似遊技の開始時にメイン制御部４１が選択する停止順種別、サブ制御部９１がＡＴ開始判定期間、上乗せ判定期間に制御されている場合に停止順種別に対応して選択するナビ演出の選択状況、実際の停止順に基づきメイン制御部４１が判定する判定内容の関係を示す図である。
【０１１７】
メイン制御部４１は、１回目及び２回目の判定用擬似遊技の開始毎に、０〜３の４種類の停止順種別からいずれかの停止順種別をランダムに選択する。
【０１１８】
図２６に示すように、メイン制御部４１は、１回目の判定用擬似遊技において停止順種別０を選択した場合に、実際の停止順が左第１停止、すなわち左中右または左右中のいずれかのとき、及び実際の停止順が右中左のときには、ＡＴ開始判定期間でも上乗せ判定期間でもない旨を判定し、実際の停止順が中右左のときには、サブ制御部９１側のＡＴ開始を判定し、実際の停止順が中左右のときには、サブ制御部９１側の上乗せ抽選の当選、上乗せパターンＡを判定し、実際の停止順が右左中のときには、サブ制御部９１側の上乗せ抽選の当選、上乗せパターンＢを判定する。
【０１１９】
また、メイン制御部４１は、１回目の判定用擬似遊技において停止順種別１を選択した場合に、実際の停止順が左第１停止、すなわち左中右または左右中のいずれかのとき、及び実際の停止順が中右左のときには、ＡＴ開始判定期間でも上乗せ判定期間でもない旨を判定し、実際の停止順が中左右のときには、サブ制御部９１側のＡＴ開始を判定し、実際の停止順が右左中のときには、サブ制御部９１側の上乗せ抽選の当選、上乗せパターンＡを判定し、実際の停止順が右中左のときには、サブ制御部９１側の上乗せ抽選の当選、上乗せパターンＢを判定する。
【０１２０】
また、メイン制御部４１は、１回目の判定用擬似遊技において停止順種別２を選択した場合に、実際の停止順が左第１停止、すなわち左中右または左右中のいずれかのとき、及び実際の停止順が中左右のときには、ＡＴ開始判定期間でも上乗せ判定期間でもない旨を判定し、実際の停止順が右左中のときには、サブ制御部９１側のＡＴ開始を判定し、実際の停止順が右中左のときには、サブ制御部９１側の上乗せ抽選の当選、上乗せパターンＡを判定し、実際の停止順が中右左のときには、サブ制御部９１側の上乗せ抽選の当選、上乗せパターンＢを判定する。
【０１２１】
また、メイン制御部４１は、１回目の判定用擬似遊技において停止順種別３を選択した場合に、実際の停止順が左第１停止、すなわち左中右または左右中のいずれかのとき、及び実際の停止順が右左中のときには、ＡＴ開始判定期間でも上乗せ判定期間でもない旨を判定し、実際の停止順が右中左のときには、サブ制御部９１側のＡＴ開始を判定し、実際の停止順が中右左のときには、サブ制御部９１側の上乗せ抽選の当選、上乗せパターンＡを判定し、実際の停止順が中左右のときには、サブ制御部９１側の上乗せ抽選の当選、上乗せパターンＢを判定する。
【０１２２】
そして、ＡＴ開始判定期間でも上乗せ判定期間でもない旨を判定した場合には、２回目の判定用擬似遊技を行わず、サブ制御部９１側のＡＴ開始を判定した場合には、２回目の判定用擬似遊技を行わず、ＡＴ開始を示すＡＴ信号を外部出力する制御を行い、サブ制御部９１側の上乗せ抽選の当選、上乗せパターンＡまたは上乗せパターンＢを判定した場合には、２回目の判定用擬似遊技を行う。
【０１２３】
また、図２６に示すように、メイン制御部４１は、２回目の判定用擬似遊技において停止順種別０を選択した場合に、実際の停止順が左第１停止、すなわち左中右または左右中のいずれかのとき、及び実際の停止順が右左中、右中左のいずれかのときには、上乗せ判定期間ではない旨を判定し、実際の停止順が中右左のときには、上乗せ用擬似遊技の継続率（高）を判定し、実際の停止順が中左右のときには、上乗せ用擬似遊技の継続率（低）を判定する。
【０１２４】
また、メイン制御部４１は、２回目の判定用擬似遊技において停止順種別１を選択した場合に、実際の停止順が左第１停止、すなわち左中右または左右中のいずれかのとき、及び実際の停止順が中右左、右中左のいずれかのときには、上乗せ判定期間ではない旨を判定し、実際の停止順が中左右のときには、上乗せ用擬似遊技の継続率（高）を判定し、実際の停止順が右左中のときには、上乗せ用擬似遊技の継続率（低）を判定する。
【０１２５】
メイン制御部４１は、２回目の判定用擬似遊技において停止順種別２を選択した場合に、実際の停止順が左第１停止、すなわち左中右または左右中のいずれかのとき、及び実際の停止順が中右左、中左右のいずれかのときには、上乗せ判定期間ではない旨を判定し、実際の停止順が右左中のときには、上乗せ用擬似遊技の継続率（高）を判定し、実際の停止順が右中左のときには、上乗せ用擬似遊技の継続率（低）を判定する。
【０１２６】
メイン制御部４１は、２回目の判定用擬似遊技において停止順種別３を選択した場合に、実際の停止順が左第１停止、すなわち左中右または左右中のいずれかのとき、及び実際の停止順が中左右、右左中のいずれかのときには、上乗せ判定期間ではない旨を判定し、実際の停止順が右中左のときには、上乗せ用擬似遊技の継続率（高）を判定し、実際の停止順が中右左のときには、上乗せ用擬似遊技の継続率（低）を判定する。
【０１２７】
そして、上乗せ判定期間ではない旨を判定した場合には、上乗せ用擬似遊技を行わず、上乗せ用擬似遊技の継続率（高）を判定した場合には、継続率（高）を適用して上乗せ用擬似遊技を開始し、上乗せ用擬似遊技の継続率（低）を判定した場合には、継続率（低）を適用して上乗せ用擬似遊技を開始する。
【０１２８】
一方、サブ制御部９１は、ＡＴ開始判定期間または上乗せ判定期間であれば、受信した内部当選コマンド及び停止順種別コマンドに基づいて通常遊技における通常リプレイの当選時に、停止順種別０が選択された場合には、中右左の停止順を報知するナビ演出を実行し、停止順種別１が選択された場合には、中左右の停止順を報知するナビ演出を実行する。
【０１２９】
このため、サブ制御部９１側がＡＴ開始判定期間または上乗せ判定期間であれば、通常遊技における通常リプレイの当選時において遊技者がナビ演出により報知された停止順にて停止操作を行った場合に、メイン制御部４１は、ＡＴ開始判定期間または上乗せ判定期間である旨を判定し、１回目の判定用擬似遊技を行う。
【０１３０】
また、サブ制御部９１は、ＡＴ開始判定期間であれば、受信した擬似遊技種別コマンド及び停止順種別コマンドに基づいて１回目の判定用擬似遊技の開始時に、停止順種別０が選択された場合には、中右左の停止順を報知するナビ演出を実行し、停止順種別１が選択された場合には、中左右の停止順を報知するナビ演出を実行し、停止順種別２が選択された場合には、右左中の停止順を報知するナビ演出を実行し、停止順種別３が選択された場合には、右中左の停止順を報知するナビ演出を実行する。
【０１３１】
このため、サブ制御部９１側がＡＴ開始判定期間であれば、１回目の判定用擬似遊技において遊技者がナビ演出により報知された停止順にて停止操作を行った場合に、メイン制御部４１は、サブ制御部９１側のＡＴ開始を判定し、ＡＴ信号の外部出力制御を行う。
【０１３２】
また、サブ制御部９１は、上乗せ判定期間であり、上乗せパターンＡが決定されていれば、受信した擬似遊技種別コマンド及び停止順種別コマンドに基づいて１回目の判定用擬似遊技の開始時に、停止順種別０が選択された場合には、中左右の停止順を報知するナビ演出を実行し、停止順種別１が選択された場合には、右左中の停止順を報知するナビ演出を実行し、停止順種別２が選択された場合には、右中左の停止順を報知するナビ演出を実行し、停止順種別３が選択された場合には、中右左の停止順を報知するナビ演出を実行する。
【０１３３】
このため、サブ制御部９１側が上乗せ判定期間であり、上乗せパターンＡが決定されてれば、１回目の判定用擬似遊技において遊技者がナビ演出により報知された停止順にて停止操作を行った場合に、メイン制御部４１は、上乗せ抽選の当選、上乗せパターンＡを判定し、さらに２回目の判定用擬似遊技を行う。
【０１３４】
また、サブ制御部９１は、上乗せ判定期間であり、上乗せパターンＢが決定されていれば、受信した擬似遊技種別コマンド及び停止順種別コマンドに基づいて１回目の判定用擬似遊技の開始時に、停止順種別０が選択された場合には、右左中の停止順を報知するナビ演出を実行し、停止順種別１が選択された場合には、右中左の停止順を報知するナビ演出を実行し、停止順種別２が選択された場合には、中右左の停止順を報知するナビ演出を実行し、停止順種別３が選択された場合には、中左右の停止順を報知するナビ演出を実行する。
【０１３５】
このため、サブ制御部９１側が上乗せ判定期間であり、上乗せパターンＢが決定されていれば、１回目の判定用擬似遊技において遊技者がナビ演出により報知された停止順にて停止操作を行った場合に、メイン制御部４１は、上乗せ抽選の当選、上乗せパターンＢを判定し、さらに２回目の判定用擬似遊技を行う。
【０１３６】
また、サブ制御部９１は、上乗せ判定期間であり、継続率（高）が決定されていれば、受信した擬似遊技種別コマンド及び停止順種別コマンドに基づいて２回目の判定用擬似遊技の開始時に、停止順種別０が選択された場合には、中右左の停止順を報知するナビ演出を実行し、停止順種別１が選択された場合には、中左右の停止順を報知するナビ演出を実行し、停止順種別２が選択された場合には、右左中の停止順を報知するナビ演出を実行し、停止順種別３が選択された場合には、右中左の停止順を報知するナビ演出を実行する。
【０１３７】
このため、サブ制御部９１側が上乗せ判定期間であり、継続率（高）が決定されていれば、２回目の判定用擬似遊技において遊技者がナビ演出により報知された停止順にて停止操作を行った場合に、メイン制御部４１は、上乗せ抽選の当選、継続率（高）を判定し、継続率（高）を適用して１回目の判定用擬似遊技にて判定された上乗せパターンの上乗せ用擬似遊技を行う。
【０１３８】
また、サブ制御部９１は、上乗せ判定期間であり、継続率（低）が決定されていれば、受信した擬似遊技種別コマンド及び停止順種別コマンドに基づいて２回目の判定用擬似遊技の開始時に、停止順種別０が選択された場合には、中左右の停止順を報知するナビ演出を実行し、停止順種別１が選択された場合には、右左中の停止順を報知するナビ演出を実行し、停止順種別２が選択された場合には、右中左の停止順を報知するナビ演出を実行し、停止順種別３が選択された場合には、中右左の停止順を報知するナビ演出を実行する。
【０１３９】
このため、サブ制御部９１側が上乗せ判定期間であり、継続率（低）が決定されていれば、２回目の判定用擬似遊技において遊技者がナビ演出により報知された停止順にて停止操作を行った場合に、メイン制御部４１は、上乗せ抽選の当選、継続率（低）を判定し、継続率（低）を適用して１回目の判定用擬似遊技にて判定された上乗せパターンの上乗せ用擬似遊技を行う。
【０１４０】
また、サブ制御部９１は、ＡＴ以外の通常状態においては、通常遊技における通常リプレイ当選時にナビ演出を実行せず、また、前述のように通常状態においてナビ演出がない場合に左リール以外のリールを第１停止とする停止順で停止操作がされることでペナルティ期間に制御されるため、遊技者にとって不利益となる。
【０１４１】
このため、通常状態では、遊技者がペナルティ期間に制御されることのない推奨停止順にて停止操作を行った場合に、メイン制御部４１は、判定用擬似遊技を行うことがなく、結果としてＡＴ信号を出力することもなく、上乗せ用擬似遊技も行うことがない。仮に推奨停止順以外で停止操作がされて判定用擬似遊技を行った場合でも、その後遊技者が推奨停止順にて停止操作を行った場合に、メイン制御部４１は、ＡＴ信号を出力することもなく、上乗せ用擬似遊技も行うことがないようになっている。
【０１４２】
また、サブ制御部９１は、ＡＴ中の通常遊技における通常リプレイ当選時、判定用擬似遊技において、ＡＴ開始判定期間でもなく、上乗せ判定期間でもない場合には、左リールを第１停止とする停止順、すなわち左中右または左右中の停止順を報知するナビ演出を実行するようになっている。
【０１４３】
このため、サブ制御部９１側がＡＴ中であるが、ＡＴ開始判定期間でもなく、上乗せ判定期間でもない場合には、遊技者がナビ演出により報知された停止順にて停止操作を行った場合に、メイン制御部４１は、メイン制御部４１は、判定用擬似遊技を行うことがなく、結果としてＡＴ信号を出力することもなく、上乗せ用擬似遊技も行うことがない。仮にナビ演出にて報知された停止順以外で停止操作がされて判定用擬似遊技を行った場合でも、その後遊技者がナビ演出にて報知された停止順にて停止操作を行った場合に、メイン制御部４１は、ＡＴ信号を出力することもなく、上乗せ用擬似遊技も行うことがないようになっている。
【０１４４】
次に、メイン制御部４１がＡＴ開始を特定する制御、及び判定用擬似遊技を経て上乗せ用擬似遊技を行う制御の流れを図２１に示すフローチャートに基づいて説明する。
【０１４５】
図２７に示すように、メイン制御部４１は、１ゲーム毎に、通常リプレイが当選しているか否かを判定し（Ｓａ０１）、通常リプレイが当選している場合には、停止順種別０及び１のいずれかをランダムに選択する（Ｓａ０２）。Ｓａ０２のステップで停止順種別を選択した後は、サブ制御部９１に対して停止順種別コマンドを送信し、停止操作が行われるまで待機する。
【０１４６】
Ｓａ０２のステップの後、停止操作が行われたときに、実際に行われた停止順が、ＡＴ開始判定期間または上乗せ判定期間が判定される停止順（図２５参照）と一致するか否かを判定し（Ｓａ０３）、実際に行われた停止順がＡＴ開始判定期間または上乗せ判定期間が判定される停止順と一致する場合は、次ゲームの開始時にフリーズ状態に制御し、判定用擬似遊技（１回目）を行う（Ｓａ０４）。
【０１４７】
一方、Ｓａ０３のステップにおいて、実際に行われた停止順が、ＡＴ開始判定期間または上乗せ判定期間が判定される停止順と一致しない場合は、次ゲームにおいてフリーズ状態に制御されることはなく、判定用擬似遊技（１回目）に制御されることもない。
【０１４８】
Ｓａ０４のステップで開始した判定用擬似遊技（１回目）では、停止順種別０〜３の４種類からいずれかをランダムに選択する（Ｓａ０５）。Ｓａ０５のステップで停止順種別を選択した後、メイン制御部４１は、サブ制御部９１に対して停止順種別コマンドを送信し、停止操作が行われるまで待機する。
【０１４９】
Ｓａ０５のステップの後、停止操作が行われた場合に、実際に行われた停止順が、ＡＴ開始が判定される停止順（図２０参照）と一致するか否かを判定し（Ｓａ０６）、実際の停止順がＡＴ開始が判定される停止順と一致する場合には、ＡＴ信号を外部出力する制御を行うとともに、サブ制御部９１に対してＡＴ信号出力コマンドを送信する（Ｓａ０７）。その後、スタートスイッチ７が操作されることでフリーズ状態を終了し、通常遊技を再開する。
【０１５０】
一方、Ｓａ０６のステップにおいて、実際に行われた停止順が、ＡＴ開始が判定される停止順と一致しない場合には、実際に行われた停止順が、上乗せ抽選の当選が判定される停止順（図２０参照）と一致するか否かを判定する（Ｓａ０８）。実際の停止順が、上乗せ抽選の当選が判定される停止順と一致する場合は、停止順に基づいて上乗せパターンＡまたは（Ｂ）を設定し（Ｓａ０９）、スタートスイッチ７が操作されてもフリーズ状態を継続し、当該スタートスイッチ７が操作されることに伴い判定用擬似遊技（２回目）を行う（Ｓａ１０）。
【０１５１】
一方、Ｓａ０８のステップにおいて、実際に行われた停止順が、上乗せ抽選の当選が判定される停止順と一致しない場合は、スタートスイッチ７が操作されることでフリーズ状態を終了し、通常遊技を再開する。
【０１５２】
Ｓａ０４のステップで開始した判定用擬似遊技（１回目）では、停止順種別０〜３の４種類からいずれかをランダムに選択する（Ｓａ１１）。Ｓａ１１のステップで停止順種別を選択した後は、サブ制御部９１に対して停止順種別コマンドを送信し、停止操作が行われるまで待機する。
【０１５３】
Ｓａ１１のステップの後、停止操作が行われたときに、実際に行われた停止順が、上乗せ用擬似遊技の継続率（高）または（低）が判定される停止順（図２０参照）と一致するか否かを判定し（Ｓａ１２）、実際の停止順が上乗せ用擬似遊技の継続率（高）または（低）が判定される停止順と一致する場合には、実際の停止順に基づいて上乗せ用擬似遊技の継続率を高確率または低確率に設定し（Ｓａ１３）、スタートスイッチ７が操作されてもフリーズ状態を継続し、当該スタートスイッチ７が操作されることに伴い、Ｓａ１３のステップにて設定された継続率を適用し、Ｓａ０９のステップにて設定された上乗せパターンの上乗せ用擬似遊技を行う（Ｓａ１４）。
【０１５４】
一方、Ｓａ１２のステップで、実際の停止順が上乗せ用擬似遊技の継続率（高）または（低）が判定される停止順と一致しない場合には、スタートスイッチ７が操作されることでフリーズ状態を終了し、通常遊技を再開する。
【０１５５】
次に、図２８〜図３１に基づいて１回目のＡＴ開始時及び２回目以降のＡＴ開始時のメイン制御部４１及びサブ制御部９１の動作状況について説明する。
【０１５６】
サブ制御部９１は、図３０に示すように、１回目のＡＴの制御を開始すると、ＡＴ開始判定期間に制御する。ＡＴ開始判定期間では、図２８（ａ）に示すように、通常遊技における通常リプレイ当選時に、ＡＴ開始判定期間が判定される停止順による停止操作を報知するナビ演出を実行する。
【０１５７】
通常リプレイ当選時にＡＴ開始判定期間が判定される停止順は、中左右、中右左のいずれかであり、遊技者によりナビ演出にて報知された停止順で停止操作が行われると、メイン制御部４１は、図２８（ｂ）に示すように、中段リプレイまたは右上がりリプレイのいずれかの入賞態様を停止させる制御を行うとともに、図２８（ｃ）に示すように、次ゲームの開始時にフリーズ状態に制御し、その間に１回目の判定用擬似遊技を行う。
【０１５８】
サブ制御部９１は、図３０及び図２９（ａ）に示すように、ＡＴ開始判定期間における１回目の判定用擬似遊技において、ＡＴ開始判定期間が判定される停止順による停止操作を報知するナビ演出を実行する。
【０１５９】
判定用擬似遊技（１回目）においてＡＴ開始判定期間が判定される停止順は、中左右、中右左、右左中、右中左のいずれかであり、遊技者によりナビ演出にて報知された停止順で停止操作が行われると、メイン制御部４１は、図２９（ｂ）に示すように、ＡＴ開始判定期間の通常遊技における通常リプレイ当選時にナビ演出により報知された停止順で停止操作がされた場合と同様に、「リプレイ−リプレイ−リプレイ」の組合せが中段または右上がりに揃う停止態様を停止させる制御を行い、図２４に示すように、ＡＴ信号を外部出力するとともに、ＡＴ信号出力コマンドをサブ制御部９１に対して送信し、その後、スタートスイッチ７が操作されることでフリーズ状態を終了し、通常遊技を再開する。
【０１６０】
また、サブ制御部９１は、ＡＴ信号出力コマンドを受信することで、ＡＴ開始判定期間を終了する。
【０１６１】
また、サブ制御部９１は、図３１に示すように、Ｎ回目のＡＴの制御が終了し、ナビストック数が消化されたとき、すなわち、Ｎ＋１回目のＡＴの制御を開始したときにも、ＡＴ開始判定期間に制御するようになっており、１回目と同様に、通常リプレイ当選時にＡＴ開始判定期間が判定される停止順を報知するナビ演出を行い、その後の判定用擬似遊技（１回目）においてＡＴ開始が判定されるナビ演出を行うようになっており、遊技者によりナビ演出にて報知された停止順での停止操作がされることで、メイン制御部４１は、１回目のＡＴ開始時と同様に、判定用擬似遊技を行い、ＡＴ信号を外部出力する。
【０１６２】
また、サブ制御部９１は、図３２に示すように、上乗せ抽選に当選すると、上乗せ判定期間に制御する。上乗せ判定期間では、図２８（ａ）に示すように、通常遊技における通常リプレイ当選時に、上乗せ判定期間が判定される停止順による停止操作を報知するナビ演出を実行する。
【０１６３】
通常リプレイ当選時に上乗せ判定期間が判定される停止順は、中左右、中右左のいずれかであり、遊技者によりナビ演出にて報知された停止順で停止操作が行われると、メイン制御部４１は、図２８（ｂ）に示すように、中段リプレイまたは右上がりリプレイのいずれかの入賞態様を停止させる制御を行うとともに、図２８（ｃ）に示すように、次ゲームの開始時にフリーズ状態に制御し、その間に１回目の判定用擬似遊技を行う。
【０１６４】
サブ制御部９１は、図３２及び図２９（ａ）に示すように、上乗せ判定期間における１回目の判定用擬似遊技において、上乗せ抽選にて決定された上乗せパターンが判定される停止順による停止操作を報知するナビ演出を実行する。
【０１６５】
判定用擬似遊技（１回目）において上乗せパターンが判定される停止順は、中左右、中右左、右左中、右中左のいずれかであり、遊技者によりナビ演出にて報知された停止順で停止操作が行われると、メイン制御部４１は、図２９（ｂ）に示すように、上乗せ判定期間の通常遊技における通常リプレイ当選時にナビ演出により報知された停止順で停止操作がされた場合と同様に、「リプレイ−リプレイ−リプレイ」の組合せが中段または右上がりに揃う停止態様を停止させる制御を行い、図３２に示すように、停止順から特定される上乗せパターンを設定し、その後、スタートスイッチ７が操作されてもフリーズ状態を継続し、当該スタートスイッチ７の操作に伴い２回目の判定用擬似遊技を行う。
【０１６６】
サブ制御部９１は、図３２及び図２９（ａ）に示すように、上乗せ判定期間における２回目の判定用擬似遊技において、上乗せ抽選にて決定された上乗せ用擬似遊技の継続率が判定される停止順による停止操作を報知するナビ演出を実行する。
【０１６７】
判定用擬似遊技（２回目）において上乗せ用擬似遊技の継続率が判定される停止順は、中左右、中右左、右左中、右中左のいずれかであり、遊技者によりナビ演出にて報知された停止順で停止操作が行われると、メイン制御部４１は、図２９（ｂ）に示すように、上乗せ判定期間の通常遊技における通常リプレイ当選時にナビ演出により報知された停止順で停止操作がされた場合と同様に、「リプレイ−リプレイ−リプレイ」の組合せが中段または右上がりに揃う停止態様を停止させる制御を行い、図２６に示すように、停止順から特定される上乗せ用擬似遊技の継続率を設定し、その後、スタートスイッチ７が操作されてもフリーズ状態を継続し、当該スタートスイッチ７が操作されることに伴い、２回目の判定用擬似遊技にて判定された継続率を適用し、１回目の判定用擬似遊技にて判定された上乗せパターンの上乗せ用擬似遊技を行う。
【０１６８】
一方、図３０に示すように、サブ制御部９１は、ＡＴ中であるが、ＡＴ開始判定期間でも上乗せ判定期間でもない通常遊技において通常リプレイが当選した場合に、左リールを第１停止とする停止順を報知するナビ演出を実行する。通常リプレイ当選時にＡＴ開始判定期間または上乗せ判定期間が判定される停止順は、中リールを第１停止とする停止順、すなわち中左右または中右左の停止順であり、遊技者によりナビ演出にて報知された停止順で停止操作が行われると、メイン制御部４１は、フリーズ状態に制御することがなく、判定用擬似遊技も行われないため、ＡＴ信号も出力することがなく、上乗せ用擬似遊技を行うこともない。
【０１６９】
尚、ＡＴ開始判定期間でも上乗せ判定期間でもない期間において、サブ制御部９１によるナビ演出に従わずに停止操作がされた結果、判定用擬似遊技が行われた場合には、サブ制御部９１は、当該判定用擬似遊技において、左リールを第１停止とする停止順、すなわちメイン制御部４１が判定用擬似遊技を終了させる停止順を報知するナビ演出を実行し、報知された停止順での停止操作を促すようになっており、ＡＴ開始判定期間、上乗せ判定期間に制御されていないにも関わらず、ＡＴ信号が出力されたり、上乗せ用擬似遊技が行われることを回避するようになっている。
【０１７０】
本実施例において、メイン制御部４１は、判定用擬似遊技を行うことが可能であり、さらに判定用擬似遊技において所定の停止順で停止操作がされることで、ＡＴ信号の出力、上乗せ用擬似遊技等の所定制御を行うとともに、メイン制御部４１は、判定用擬似遊技において所定の停止順を特定可能な停止順種別コマンドをサブ制御部９１に対して送信し、サブ制御部９１は、停止順種別コマンドから特定される所定の停止順をナビ演出により報知することが可能であり、サブ制御部９１が判定用擬似遊技において所定の停止順を報知するナビ演出を実行することにより報知された停止順での停止操作を遊技者に対して促し、報知された停止順で停止操作が遊技者により行われることで、メイン制御部４１に対して所定制御を行わせることが可能となる。
【０１７１】
また、メイン制御部４１は、内部抽選の結果に依存する通常遊技ではなく、内部抽選の結果に依存しない判定用擬似遊技において所定の停止順で停止操作がされたときに所定制御を行うため、一度判定用擬似遊技が行われれば、内部抽選の結果に関わらず、所定制御を行わせることが可能となり、極力早い段階で所定制御を行わせることができる。また、判定用擬似遊技では、通常遊技と異なり、メダルの使用による賭数の設定及びメダルの付与を伴わないため、サブ制御部９１がメイン制御部４１に対して所定制御を行わせるための期間においてメダルの増減を極力抑えることができる。
【０１７２】
また、通常遊技においては、前回の通常遊技を開始してから規定時間が経過するまでは、リールの回転を開始できない構成であるのに対して、判定用擬似遊技においては、前回の通常遊技または前回の判定用擬似遊技を開始してから規定時間が経過する前であっても、リールの回転を開始でき、リールを停止させることも可能である。このため、所定制御を行わせるまでの期間をさらに短い期間とすることができる。
【０１７３】
次に、上乗せパターンＡを例に挙げて、メイン制御部４１が行うフリーズ状態に伴う上乗せ用擬似遊技に関する制御、上乗せ用擬似遊技に関連したサブ制御部９１の制御について説明する。
【０１７４】
図３３に示すように、メイン制御部４１は、前述のように通常遊技において通常リプレイが当選したゲームにおいて判定期間が特定される停止順で停止操作がされた場合に、次のゲームでフリーズ状態に制御し、１回目の判定用擬似遊技を行う。そして、１回目の判定用擬似遊技において、上乗せ抽選の当選及び上乗せパターンが特定される停止順で停止操作がされた場合に、停止順から特定される上乗せパターンを設定するとともに、フリーズ状態を継続して２回目の判定用擬似遊技をさらに行う。そして、２回目の判定用擬似遊技において、判定用擬似遊技の継続率が特定される停止順で停止操作がされた場合に、特定される継続率を設定し、フリーズ状態を継続し、１回目の判定用擬似遊技において設定された上乗せパターン及び２回目の判定用擬似遊技において設定された継続率に基づいて上乗せ用擬似遊技を行う。すなわち通常遊技における通常リプレイ当選時の停止順、１回目及び２回目の判定用擬似遊技における停止順が、上乗せ用擬似遊技を開始させる停止順であった場合に、上乗せ用擬似遊技の制御を開始する。
【０１７５】
メイン制御部４１が、上乗せパターンＡの上乗せ用擬似遊技の制御を行う場合には、まず、上乗せパターンＡの上乗せ用擬似遊技の開始を特定可能な擬似遊技種別コマンドをサブ制御部９１に送信するとともに、２回目の判定用擬似遊技において設定された継続率に応じて、フリーズ状態（上乗せ用擬似遊技）を継続させるか否か（非継続、継続）を決定する継続抽選のための継続抽選テーブルを設定する。継続率（高）に対応する停止順で停止操作が行われた場合には、フリーズ状態を高確率で継続させる継続抽選テーブルを設定し、継続率（低）に対応する停止順で停止操作が行われた場合には、フリーズ状態を継続率（高）よりも低い確率で継続させる継続抽選テーブルを設定する。
【０１７６】
一方、サブ制御部９１は、擬似遊技種別コマンドを受信することで、図３４（ａ）に示すように、「上乗せチャレンジ！！」というメッセージを液晶表示器５１に表示させて、上乗せ擬似遊技が開始された旨を示すとともに、「レバーを叩いて！」というメッセージを液晶表示器５１に表示させて、スタートスイッチ７の操作を促す開始操作指示演出を実行する。
【０１７７】
この状態で、スタートスイッチ７が操作されることで、メイン制御部４１は、継続抽選を実行し、継続抽選の結果を特定可能な継続抽選結果コマンドをサブ制御部９１に送信する。そして、メイン制御部４１は、継続抽選の後、サブ制御部９１に対して擬似遊技の進行に伴うリールの回転開始を示すリール加速情報２コマンドを送信し、リールの回転を開始させて、リール２Ｌ、２Ｃ、２Ｒをそれぞれ異なる速度の定速回転（本実施例では、左リールを通常遊技と同じ速度の定速回転、中リールを通常遊技よりも高速の定速回転、右リールを通常遊技よりも低速の定速回転）となるように回転させたうえで、ストップスイッチ８Ｌ、８Ｃ、８Ｒの操作を遊技の進行に関与しない操作として受付可能とし、サブ制御部９１に対して仮停止操作可能コマンドを送信する。この際、停止有効ＬＥＤ２２Ｌ、２２Ｃ、２２Ｒを点灯してストップスイッチ８Ｌ、８Ｃ、８Ｒによるリールの停止操作を促す。
【０１７８】
一方、サブ制御部９１は、継続抽選結果コマンドを受信することで、上乗せするＡＴのゲーム数である上乗せ数リール毎に決定する上乗せ数抽選を行い、図３４（ｂ）に示すように、上乗せ数抽選によりリール毎に決定された上乗せ数をリール２Ｌ、２Ｃ、２Ｒに対応させて表示させる。通常速度では、通常遊技と同じ条件となるため、特定の図柄を停止させる難易度が最も低く、低速回転の場合は、特定の図柄を捕捉しやすくなる一方で、引込範囲が制限されるため、通常速度よりも特定の図柄を停止させる難易度が高くなり、高速回転の場合は、特定の図柄自体を捕捉することが困難となるため、通常速度及び低速回転よりもさらに特定の図柄を停止させる難易度が高くなる。本実施例では、上乗せ数抽選において、難易度が高くなるほど大きい上乗せ数が決定されるようになっている。
【０１７９】
また、サブ制御部９１は、継続抽選結果コマンドを受信することで、継続抽選の抽選結果に関わらず、図３４（ｂ）に示すように、「７を狙え！！」というメッセージを液晶表示器５１に表示させて、かつ、仮停止操作可能コマンドを受信することで、「１つ選んで！」というメッセージを液晶表示器５１に表示させて、通常、高速、低速で回転する各リール２Ｌ、２Ｃ、２Ｒからいずれか１つを選び、「赤７」を狙った停止操作を促す停止操作指示演出を実行する。
【０１８０】
この状態でストップスイッチ８Ｌ、８Ｃ、８Ｒのいずれか１つが操作されると、メイン制御部４１は、継続抽選の結果及び停止操作のタイミングに応じて、停止操作の行われたリールを仮停止させるとともに、いずれの停止操作が行われたかを特定可能な停止操作時コマンド、滑りコマ数コマンド、停止コマンドをサブ制御部９１に対して送信する。仮停止では、継続抽選に当選しており、かつ「赤７」を中段に引込み可能なタイミングで停止操作が行われた場合には、図３４（ｃ）に示すように、停止操作が行われたリール（本実施例では中リール）の中段に「赤７」を仮停止させる一方で、継続抽選に非当選であった場合、及び、継続抽選に当選しても、「赤７」を中段に引込み不可能なタイミングで停止操作が行われた場合には、図３４（ｄ）に示すように、停止操作が行われたリール（本実施例では中リール）の中段に「赤７」以外の図柄を中段に引込み仮停止させる制御を行う。
【０１８１】
一方で、サブ制御部９１は、停止操作時コマンド、滑りコマ数コマンド、停止コマンドを受信することで、停止操作が行われたリールにおいて、中段に「赤７」が仮停止する場合には、図３４（ｃ）に示すように、「大成功！！＋１００ＧＥＴ」というメッセージを液晶表示器５１に表示させて、ＡＴゲーム数の上乗せが行われる旨を報知するとともに、「やった〜！もう１回！」というメッセージを表示させて、上乗せ数が加算されて上乗せ用擬似遊技が継続させる旨を示す上乗せ数加算報知演出を行ったうえで、再度、スタートスイッチ７の操作を促す開始操作指示演出を実行する。
【０１８２】
メイン制御部４１は、上乗せパターンＡの上乗せ用擬似遊技においていずれかのリールが仮停止することで１セットの上乗せ用擬似遊技を終了し、遊技者の停止操作により対応するリールの中段に「赤７」が仮停止した場合には、その後、一端全てのリールを仮停止して、スタートスイッチ７の操作を遊技の進行に関与しない操作として受付可能とし、擬似遊技開始可能コマンドをサブ制御部９１に対して送信する。
【０１８３】
その後、スタートスイッチ７が操作されるまで待機し、この状態でスタートスイッチ７が操作されると、以後、上乗せパターンＡの上乗せ用擬似遊技に伴う制御（継続抽選、リール回転、停止有効ＬＥＤ２２Ｌ、２２Ｃ、２２Ｒの点灯、ストップスイッチ８Ｌ、８Ｃ、８Ｒの操作に伴う仮停止の制御）を、継続抽選にて非継続が当選するか、またはリールの中段に「赤７」を仮停止させることが不可能なタイミングで停止操作が行われることで、停止操作がされたリールの中段に「赤７」が仮停止されなくなるまで繰り返し行うようになっている。
【０１８４】
また、メイン制御部４１は、上乗せパターンＡの上乗せ用擬似遊技においていずれかのリールを仮停止した後、当該リールの中段に「赤７」が仮停止されたかった場合には、フリーズ状態を終了し、これに伴いサブ制御部９１に対して上乗せ用擬似遊技の終了及び通常遊技の進行に伴うリールの回転開始を示すリール加速情報１コマンドを送信し、その後、リールの回転を開始させ、定速回転となることで、ストップスイッチ８Ｌ、８Ｃ、８Ｒの操作を遊技の進行に関与する操作として受付可能として、判定用擬似遊技の開始に伴って中断させていた通常遊技を再開させる。
【０１８５】
一方、サブ制御部９１は、停止操作時コマンド、滑りコマ数コマンド、停止コマンドを受信することで、停止操作が行われたリールにおいて、中段に「赤７」が仮停止しない場合、すなわちフリーズ状態の非継続が特定される場合には、図３４（ｄ）に示すように、「残念…」というメッセージを液晶表示器５１に表示させ、フリーズ状態が終了する旨を報知する終了報知演出を実行する。その後、リール加速情報１コマンドを受信することで、図３４（ｅ）に示すように、「トータル＋ＸＸＸ（図中では３００）ＧＥＴ」というメッセージを液晶表示器５１に表示させて、当該フリーズ状態において上乗せされたＡＴゲームの上乗せ数の合計を報知する結果報知演出を実行し、フリーズ状態に伴う一連の制御を終了させる。
【０１８６】
そして、メイン制御部４１が、上乗せパターンＢの上乗せ用擬似遊技の制御を行う場合には、上乗せパターンＢの上乗せ用擬似遊技の開始を特定可能な擬似遊技種別コマンドをサブ制御部９１に送信し、上乗せパターンＢに応じた処理が上記と同様に行われる。
【０１８７】
以上のように構成された変形例において、上乗せ用擬似遊技において、継続抽選に当選しているが、リールの回転開始から所定時間が経過するまでにストップスイッチ８Ｌ、８Ｃ、８Ｒが操作されなかったときには、リールを自動停止させて１セットの上乗せ用擬似遊技を終了させることが可能である。そして、上乗せ擬似遊技でリールが自動停止したときには上乗せ数を抽選により決定して上乗せ数を加算する。これにより、本発明を変形例に適用して実施することができる。
【０１８８】
［擬似遊技における停止図柄について］
上記実施形態において次のような構成を組み合わせることが可能である。まず、通常遊技において所定表示結果が導出された場合にその次ゲームで擬似遊技を実行するように構成としたとする。このとき、所定表示結果として、たとえば、内部抽選でハズレとなったときと同様の停止図柄や、ハズレではないが擬似遊技が実行されることを認識できるような不揃いの停止図柄を導出し、遊技者にはハズレとなったことを認識させる。そして、擬似遊技において、通常遊技では導出確率の低く、有利度の高い（たとえば、上乗せゲーム数が多くなりやすくなる）停止図柄の導出確率を高めるか、または、通常遊技では導出されず、有利度の高い停止図柄を導出させる。さらに、擬似遊技が連続するほど有利度の高い停止図柄の導出確率を高める。これにより、擬似遊技であることを明確に認識させることができる。また、通常遊技で停止しにくい有利度の高い図柄、あるいは、通常遊技では停止しない有利度の高い図柄が擬似遊技で停止するので擬似遊技の興趣を高めることができる。
【０１８９】
［操作要求演出について］
上記実施形態において次のような構成を組み合わせることが可能である。まず、演出用スイッチや、遊技の進行に関わる操作部（たとえば、ＭＡＸベットスイッチ６、スタートスイッチ７など）が操作されたときに演出の態様が変化するように構成する。
【０１９０】
図３５（ａ）に示すように、演出の態様を変化させる操作を受け付け開始したときに、当該操作が不能になるまでの残り時間を示すタイムゲージ２００を液晶表示器５１から表示する。図の例では、操作を要求する操作要求表示２０１とキャラクタ２０２も併せて表示している。この状態で演出の態様を変化させる操作が行われたとする。図３５（ｂ）に示すように、この操作に応答して、操作要求表示２０１を消去する。また、タイムゲージ２００で表示している残り時間の減少スピードを、実際の時間の経過に伴う減少スピードよりも速くする。このため、タイムゲージ２００の表示する残り時間が瞬間的に「０」になる。このとき、演出の態様を変化させる操作に応答してキャラクタ２０２が動く。そして、図３５（ｃ）に示すように、タイムゲージ２００を消去し、複数のキャラクタ２０２を登場させて操作後の演出を行う。これにより、演出の態様を変化させるための操作が行われたことを明確に表示できる。
【０１９１】
［本実施形態の効果］
本実施形態では、リール演出に引き続き擬似遊技を実行する。擬似遊技の開始から３０秒が経過するまでにストップスイッチの操作が行われずに擬似遊技が終了したときにはリール演出継続抽選を実行し、リール演出継続抽選に当選したときは上乗せ抽選を実行する（本例では、図１６のＳｃ１４でＹのときにＳｃ１５の処理を行う部分および図１９のＳａ３の処理を行う部分）。
ここで、擬似遊技をリール演出が終了したゲームの次ゲーム以降に行った場合には、擬似遊技で押し順が正解しても再度のリール演出はリール演出が終了したゲームの次ゲーム以降で実行されることになる。これでは、遊技の流れが不自然になってしまう。しかし、本実施形態のように、リール演出の終了後に引き続き擬似遊技を実行することにより、リール演出が再度実行されるのはリール演出が終了したゲームと同一ゲーム内になる。このため、本実施形態では、リール演出を再度行うか否かを決定するためにストップスイッチの操作を行う遊技を好適なタイミングで行わせることができる。
一方、擬似遊技の開始からストップスイッチの操作が行われることなく３０秒が経過して擬似遊技が終了しても、リール演出継続抽選に当選すれば上乗せ抽選が行われるので、遊技者の利益獲得の機会が失われることがない。よって、遊技の興趣を向上させることができる。
【０１９２】
本実施形態では、擬似遊技でストップスイッチの押し順が正解する確率（本例では２択）と同一の確率（本例では、１/２）でリール演出継続抽選を実行する（本例では、図１６のＳｃ１５の処理を１/２の確率で行う部分）。
よって、擬似遊技において、ストップスイッチを操作した遊技者と、ストップスイッチを操作しなかった遊技者との間の公平性を保つことができる。
【０１９３】
本実施形態では、擬似遊技で特定表示結果が表示されたときに再度リール演出を実行する（本例では、図１６のＳｃ１１の処理を行った後にＳｃ４の処理に戻る部分）。
よって、遊技者によるストップスイッチの操作の操作態様に応じて再度リール演出を実行することが可能になるので、遊技の興趣を向上させることができる。
【０１９４】
本実施形態では、擬似遊技の開始から３０秒が経過するまでにストップスイッチの操作がされなかったときはリール演出継続抽選を実行し、リール演出継続抽選に当選したときは特定表示結果を表示し、リール演出継続抽選に当選しなかったときは特定表示結果以外の表示結果を表示する（本例では、図１６のＳｃ１５の処理を行い、Ｓｃ１６でＹのときはＳｃ１１の処理を行い、Ｓｃ１６でＮのときはＳｃ１７の処理を行う部分）。
よって、擬似遊技中にストップスイッチを操作しなかったときでも表示結果が導出されるので、リール演出継続抽選を実行した結果を識別しやすくすることができる。
【０１９５】
本実施形態では、通常遊技で停止促進報知が実行開始されるまでの３０秒と同一の３０秒が経過するまでにストップスイッチの操作が行われなかったときに擬似遊技を終了させる（本例では、図１６のＳｃ１４でＹのときにＳｃ１１またはＳｃ１７の処理を行う部分）。
よって、通常遊技で停止促進報知が実行されるまでの時間と、ストップスイッチの操作が行われたかったときに擬似遊技を終了させるまでの時間とを対応させることにより、擬似遊技を終了させるまでの時間を遊技者に認識させやすくすることができる。
【０１９６】
本実施形態では、フリーズ状態の終了条件が成立してリールが仮停止しているときに開始促進演出を実行し（本例では、図２０のＳｅ３の処理を実行する部分）、スタートスイッチ７の操作が行われたときは、フリーズ状態を終了させるとともにリールを回転開始させる（本例では、図１７のＳｃ１８でＹのときに、Ｓｃ１９およびＳｃ２０の処理を行って図１５のＳｄ４の処理を実行する部分）。
よって、フリーズ状態でリールが仮停止しているときに開始促進演出にしたがってスタートスイッチ７を操作すると、フリーズ状態が終了するとともにリールが回転開始するので、通常状態のゲームと同様の流れでフリーズ状態終了後にリールの回転を開始させることが可能になり、遊技者が遊技に対して違和感を覚え、困惑することを防止できる。
【０１９７】
本実施形態では、メイン制御部４１が判定用擬似遊技において所定操作態様でストップスイッチが操作されたときに所定制御を行うとともに、サブ制御部９１に対して所定操作態様を特定可能な所定制御情報を送信し、サブ制御部９１は所定制御情報から特定される所定操作態様を特定可能に報知する（本例では、メイン制御部４１が図２５のＳａ０９やＳａ１３処理を行い、サブ制御部９１はメイン制御部４１に対して上乗せ用擬似遊技を行わせるためのナビ演出（通常リプレイ当選時及び判定用擬似遊技におけるナビ演出）を実行する部分）。
よって、メイン制御部４１は、判定用擬似遊技を行うことが可能であり、さらに判定用擬似遊技において所定の停止順で停止操作がされることで、ＡＴ信号の出力、上乗せ用擬似遊技等の所定制御を行うとともに、メイン制御部４１は、判定用擬似遊技において所定の停止順を特定可能な停止順種別コマンドをサブ制御部９１に対して送信し、サブ制御部９１は、停止順種別コマンドから特定される所定の停止順をナビ演出により報知することが可能であり、サブ制御部９１が判定用擬似遊技において所定の停止順を報知するナビ演出を実行することにより報知された停止順での停止操作を遊技者に対して促し、報知された停止順で停止操作が遊技者により行われることで、メイン制御部４１に対して所定制御を行わせることが可能となる。
また、通常遊技においては、前回の通常遊技を開始してから規定時間が経過するまでは、リールの回転を開始できない構成であるのに対して、判定用擬似遊技においては、前回の通常遊技または前回の判定用擬似遊技を開始してから規定時間が経過する前であっても、リールの回転を開始でき、リールを停止させることも可能である。このため、所定制御を行わせるまでの期間をさらに短い期間とすることができる。
また、メイン制御部４１は、内部抽選の結果に依存する通常遊技ではなく、内部抽選の結果に依存しない判定用擬似遊技において所定の停止順で停止操作がされたときに所定制御を行うため、一度判定用擬似遊技が行われれば、内部抽選の結果に関わらず、所定制御を行わせることが可能となり、極力早い段階で所定制御を行わせることができる。また、判定用擬似遊技では、通常遊技と異なり、メダルの使用による賭数の設定及びメダルの付与を伴わないため、サブ制御部９１がメイン制御部４１に対して所定制御を行わせるための期間においてメダルの増減を極力抑えることができる。
【０１９８】
[その他の変形例]
［擬似遊技について］
（１）上記実施形態では、リール演出が終了したときに再度リール演出を行うか否かを決定する擬似遊技を行ったが、たとえば、擬似遊技を実行するか否かを決定する抽選に当選した場合にのみ擬似遊技を実行するなど、上記実施形態と異なる契機および態様の擬似遊技を実行してもよい。
【０１９９】
また、たとえば、ＡＴや擬似ボーナス（サブ制御部９１によるナビ演出によって実行されるボーナス）が終了したときに、その次ゲームで擬似遊技を実行する。そして、擬似遊技でストップスイッチを操作して特定表示結果が表示されたとき、または、ストップスイッチを操作しなかったときの特別処理で実行された抽選に当選したときに再度ＡＴや擬似ボーナスに制御することが挙げられる。
【０２００】
また、たとえば、押し順が正解するとＡＴのゲーム数が上乗せされる擬似遊技を設ける。そして、擬似遊技に制御する権利が付与されたときに複数ゲームにわたって当該権利が付与されたことを示唆および報知する演出を実行する。そして、権利が付与されたことを報知したゲームの次ゲームで擬似遊技を実行することが挙げられる。
【０２０１】
［リール演出について］
（１）上記実施形態では、リール演出が継続するときは「黒７」の図柄が揃い、リール演出が終了するときは「黒７」の図柄が揃わないようにしたが、上記実施形態と異なる態様によりリール演出の継続または非継続を報知してもよい。たとえば、スタートスイッチ７の操作でリール演出が開始されるようにするとともに、リール演出の継続または非継続にかかわらずリール演出の終了時には「黒７」の図柄が揃うようにする。そして、リール演出が非継続のときにはスタートスイッチ７を操作してもリールが回転しない、あるいは、リールが一旦微動するが回転しないようにすることにより、リール演出が非継続であることを報知するように構成することが挙げられる。
【０２０２】
［特別処理について］
（１）上記実施形態では、特別処理としてリール演出継続抽選を行ったが、たとえば、特別処理を行ったときにはストップスイッチの操作を行ったときに得られない特典を付与する、あるいは、遊技状態を変化させるなど、特別処理の態様を上記実施形態と異なる態様にしてもよい。
【０２０３】
ストップスイッチの操作を行ったときに得られない特典を付与する例として、擬似遊技でストップスイッチの操作が行われなかったときにはリール演出継続抽選を行わず、上乗せゲーム数を付与することが挙げられる。これにより、遊技の終了を早めたい遊技者にとって利便性を向上させることができる。このとき、ストップスイッチの操作を行ったときに付与され得る上乗せゲーム数の期待値より少ない上乗せゲーム数が付与されるように、上乗せゲーム数を設定することが前述した効果を奏するうえで好適である。
【０２０４】
（２）上記実施形態では、擬似遊技において押し順が正解する確率とストップスイッチを操作しなかったときに実行されるリール演出継続抽選の当選確率とを同一の確率にしたが、たとえば、押し順が正解する確率（たとえば、２択）をリール演出継続抽選の当選確率（たとえば、１／３）より高くする、あるいは、リール演出継続抽選の当選確率（たとえば、１／１．８）を押し順が正解する確率（たとえば、２択）よりも高くするなど、擬似遊技における押し順を正解させる際の有利度と特別処理を行ったときの有利度との関係は上記実施形態と異なる関係にしてもよい。また、ストップスイッチの押し順に正解したときに抽選を行って有利にするか否かを決定してもよい。
【０２０５】
（３）上記実施形態では、通常遊技で停止促進報知が実行開始されるまでの３０秒と同一の３０秒が経過するまでにストップスイッチの操作が行われなかったときに擬似遊技を終了させたが、たとえば、停止促進報知が実行開始されるまでの時間よりも短くする、あるいは、停止促進報知が実行開始されるまでの時間よりも長くするなど、ストップスイッチの操作が行われかなったときに擬似遊技を終了させるまでの時間は上記実施形態と異なる時間に設定してよい。
【０２０６】
［ストップスイッチの操作態様について］
（１）上記実施形態では、擬似遊技においてストップスイッチの押し順が正解か否かを判定したが、たとえば、ストップスイッチの操作タイミングが正解か否かを判定する、あるいは、ストップスイッチの操作タイミングおよび押し順の組み合わせが正解か否かを判定するなど、ストップスイッチの操作態様が正解か否かを判定するにあたって上記実施形態と異なる態様にしてもよい。
【０２０７】
［擬似遊技において特定表示結果が表示されたときについて］
（１）上記実施形態では、特定表示結果が表示されたときに上乗せ抽選を行うことによって有利にしたが、たとえば、ＡＴに制御する権利を付与する、あるいは、ＡＴ抽選の抽選確率を高確率にする、あるいは、フリーズ状態に移行する確率を高確率にする、あるいは、演出の種類が増加するなど、上記実施形態と異なる態様で有利にしてもよい。
【０２０８】
［有利期間について］
（１）上記実施形態では、有利期間をリール演出が実行される期間としたが、たとえば、ＡＴ、ＲＴ、ボーナス、ＡＴのゲーム数が上乗せされやすくなる期間など、有利期間は上記実施形態と異なる期間にしてもよい。
【０２０９】
［ＡＴについて］
（１）上記実施形態では、ＡＴに係る制御をサブ制御部９１が実行するようにしたが、メイン制御部４１が実行するようにしてもよい。
【０２１０】
具体的には、ＡＴに係る制御としてＡＴ抽選の実行が挙げられる。ＡＴ抽選には、ＡＴ抽選の当選または非当選の決定、ナビ演出を実行する擬似ボーナスの当選または非当選の決定、ＡＴゲーム数をストックするか否かの決定、ＡＴゲーム数の決定、ＡＴゲーム数の上乗せ抽選などが含まれる。また、ＡＴに係る制御としてＡＴ抽選の高確率状態の制御が挙げられる。ＡＴ抽選の高確率状態の制御には、ＡＴ抽選の当選確率が高確率になる制御、内部抽選の結果に応じてＡＴに制御されるまでの期間を短縮する制御、上乗せ抽選の当選確率やゲーム数を優遇する制御などが含まれる。また、ＡＴに係る制御として、規定ゲーム数のゲームが消化されたときにＡＴに制御することが挙げられる。規定ゲーム数のゲームが消化されたときとして、天井ゲーム数に到達したとき、抽選で決定されたゲーム数に到達したときが含まれる。また、ＡＴに係る制御として、前兆期間を設定する制御が挙げられる。前兆期間を設定する制御には、ＡＴの開始前の前兆期間にたとえば０〜３２ゲームの演出を実行する制御が含まれる。また、ＡＴに係る制御として、ペナルティを付与する制御が挙げられる。ペナルティを付与する制御には、ペナルティ内容の決定、ペナルティ期間の決定または設定が含まれる。
【０２１１】
また、ＡＴに係る制御として、ＡＴ中である旨のランプやＬＥＤの点灯制御をメイン制御部４１が行うことが挙げられる。
【０２１２】
また、ＡＴに係る制御として、ナビ演出を実行するためのランプやＬＥＤの点灯制御をメイン制御部４１が行うことが挙げられる。さらに、メイン制御部４１がナビ演出を実行することに連動してサブ制御部９１がナビ演出を実行するようにしてもよい。
【０２１３】
なお、ＡＴに係る制御をメイン制御部４１が実行する場合には、メイン制御部４１の処理を、メイン制御部４１に従属し、メイン制御部４１の下位となる制御部に実行させることが好ましい。たとえば、リールの停止制御を遊技制御基板以外の基板に設けた制御部が実行するようにし、メイン制御部４１はストップスイッチの操作信号を当該制御部に転送することが挙げられる。このように、メイン制御部４１の制御を下位となる制御部に行わせることにより、ＡＴに係る制御を行うときのＲＯＭ４１ｂやＲＡＭ４１ｃの容量不足やメインＣＰＵ４１ａの処理能力不足を防止することができる。
【０２１４】
［スロットマシンの変形例について］
（１）上記実施形態として、入賞の発生に応じて遊技媒体を遊技者の手元に払い出すスロットマシンを説明したが、遊技媒体が封入され、入賞の発生に応じて遊技媒体を遊技者の手元に払い出すことなく遊技点（得点）を加算する封入式のスロットマシンを採用してもよい。基盤とドラムとが流通可能で、筺体が共通なもので基盤のみあるいは基盤とドラムとを遊技機と称する。
【０２１５】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０２１６】
１  スロットマシン、２Ｌ，２Ｃ，２Ｒ  リール、８Ｌ，８Ｃ，８Ｒ  ストップスイッチ、４０  遊技制御基板、４１  メイン制御部４１  メインＣＰＵ、４１ｂ  ＲＯＭ、４１ｃ  ＲＡＭ、４２  乱数回路、４３  パルス発振器、５１  液晶表示器、５６  演出用スイッチ、６０  ＡＴカウント表示部、９０  演出制御基板、９１  サブ制御部９１  サブＣＰＵ、９１ｂ  ＲＯＭ、９１ｃ  ＲＡＭ。
【図１】
2016055118.tif 000003
【図２】
2016055118.tif 000004
【図３】
2016055118.tif 000005
【図４】
2016055118.tif 000006
【図５】
2016055118.tif 000007
【図６】
2016055118.tif 000008
【図７】
2016055118.tif 000009
【図８】
2016055118.tif 000010
【図９】
2016055118.tif 000011
【図１０】
2016055118.tif 000012
【図１１】
2016055118.tif 000013
【図１２】
2016055118.tif 000014
【図１３】
2016055118.tif 000015
【図１４】
2016055118.tif 000016
【図１５】
2016055118.tif 000017
【図１６】
2016055118.tif 000018
【図１７】
2016055118.tif 000019
【図１８】
2016055118.tif 000020
【図１９】
2016055118.tif 000021
【図２０】
2016055118.tif 000022
【図２１】
2016055118.tif 000023
【図２２】
2016055118.tif 000024
【図２３】
2016055118.tif 000025
【図２４】
2016055118.tif 000026
【図２５】
2016055118.tif 000027
【図２６】
2016055118.tif 000028
【図２７】
2016055118.tif 000029
【図２８】
2016055118.tif 000030
【図２９】
2016055118.tif 000031
【図３０】
2016055118.tif 000032
【図３１】
2016055118.tif 000033
【図３２】
2016055118.tif 000034
【図３３】
2016055118.tif 000035
【図３４】
2016055118.tif 000036
【図３５】
2016055118.tif 000037